(57)【要約】【課題】ＣＡするバンドの組み合わせが変化しても通過帯域の挿入損失が低減されたフィルタ装置を提供する。【解決手段】フィルタ装置１は、共通端子３１ａと選択端子３１ｂとの導通および共通端子３１ａと選択端子３１ｃとの導通を切り替えるスイッチ回路３１と、共通端子３０ａと選択端子３０ｂとの導通および共通端子３０ａと選択端子３０ｃとの導通を切り替えるスイッチ回路３０と、選択端子３０ｂおよび３１ｂに接続され、第１帯域および第２帯域を含む第６帯域を通過帯域とする高域通過フィルタ１０Ｂと、選択端子３０ｂおよび入出力端子１４０に接続され、第４帯域を通過帯域とする低域通過フィルタ１０Ａと、選択端子３０ｃおよび３１ｃに接続され、第１帯域および第３帯域を含む第７帯域を通過帯域とする高域通過フィルタ２０Ｂと、選択端子３０ｃおよび入出力端子１５０に接続され、第５帯域を通過帯域とする低域通過フィルタ２０Ａとを備える。【選択図】図１
2019153959.tif 000002
【特許請求の範囲】
【請求項１】
共通入出力端子と、
互いに周波数帯域が異なる第１帯域、第２帯域、第３帯域、第４帯域、第５帯域、前記第１帯域および前記第２帯域を含む第６帯域、および前記第１帯域および前記第３帯域を含む第７帯域のうち、前記第１帯域の高周波信号が入出力される第１入出力端子と、
前記第２帯域の高周波信号が入出力される第２入出力端子と、
前記第３帯域の高周波信号が入出力される第３入出力端子と、
前記第４帯域の高周波信号が入出力される第４入出力端子と、
前記第５帯域の高周波信号が入出力される第５入出力端子と、
前記第１入出力端子に接続された第１共通端子、第１選択端子、第２選択端子、前記第１共通端子と前記第１選択端子との導通および非導通を切り替える第１スイッチ素子、ならびに、前記第１共通端子と前記第２選択端子との導通および非導通を切り替える第２スイッチ素子を有する第１スイッチ回路と、
前記共通入出力端子に接続された第２共通端子、第３選択端子、第４選択端子、前記第２共通端子と前記第３選択端子との導通および前記第２共通端子と前記第４選択端子との導通を排他的に切り替える第３スイッチ素子を有する第２スイッチ回路と、
一方の端子が前記第３選択端子に接続され、他方の端子が前記第１選択端子および前記第２入出力端子に接続され、前記第６帯域を通過帯域とする第１フィルタと、
一方の端子が前記第３選択端子に接続され、他方の端子が前記第４入出力端子に接続され、前記第４帯域を通過帯域とする第２フィルタと、
一方の端子が前記第４選択端子に接続され、他方の端子が前記第２選択端子および前記第３入出力端子に接続され、前記第７帯域を通過帯域とする第３フィルタと、
一方の端子が前記第４選択端子に接続され、他方の端子が前記第５入出力端子に接続され、前記第５帯域を通過帯域とする第４フィルタと、を備え、
前記第１フィルタと前記第２フィルタとは、前記第６帯域の高周波信号と前記第４帯域の高周波信号とを分波する、合波する、または、分波および合波の双方をする第１分波器を構成し、
前記第３フィルタと前記第４フィルタとは、前記第７帯域の高周波信号と前記第５帯域の高周波信号とを分波する、合波する、または、分波および合波の双方をする第２分波器を構成している、
フィルタ装置。
【請求項２】
前記第１スイッチ素子および前記第２スイッチ素子は、同時に導通状態とならず、個別に導通状態および非導通状態が切り替えられる、
請求項１に記載のフィルタ装置。
【請求項３】
（１）前記第１帯域の高周波信号、前記第２帯域の高周波信号、および前記第４帯域の高周波信号を同時に伝送させる場合には、前記第２共通端子と前記第３選択端子とが導通状態となり、かつ、前記第１スイッチ素子が導通状態となり、かつ、前記第２スイッチ素子が非導通状態となり、
（２）前記第４帯域の高周波信号と前記第２帯域の高周波信号とのみを同時に伝送させる場合には、前記第２共通端子と前記第３選択端子とが導通状態となり、かつ、前記第１スイッチ素子が非導通状態となり、
（３）前記第１帯域の高周波信号、前記第３帯域の高周波信号、および前記第５帯域の高周波信号を同時に伝送させる場合には、前記第２共通端子と前記第４選択端子とが導通状態となり、かつ、前記第１スイッチ素子が非導通状態となり、かつ、前記第２スイッチ素子が導通状態となり、
（４）前記第５帯域の高周波信号と前記第３帯域の高周波信号とのみを同時に伝送させる場合には、前記第２共通端子と前記第４選択端子とが導通状態となり、かつ、前記第２スイッチ素子が非導通状態となる、
請求項２に記載のフィルタ装置。
【請求項４】
前記第４帯域の高域端の周波数は、前記第５帯域の高域端の周波数より高く、
前記第６帯域の低域端の周波数は、前記第７帯域の低域端の周波数より高く、
前記第４帯域の周波数は、前記第６帯域の低域端の周波数より低く、
前記第５帯域の周波数は、前記第７帯域の低域端の周波数より低い、
請求項２または３に記載のフィルタ装置。
【請求項５】
前記第４帯域の低域端の周波数は、前記第５帯域の低域端の周波数より低く、
前記第６帯域の高域端の周波数は、前記第７帯域の高域端の周波数より低く、
前記第４帯域の周波数は、前記第６帯域の高域端の周波数より高く、
前記第５帯域の周波数は、前記第７帯域の高域端の周波数より高い、
請求項２または３に記載のフィルタ装置。
【請求項６】
前記第２帯域の周波数は、前記第１帯域の低域端の周波数より低く、
前記第３帯域の周波数は、前記第１帯域の高域端の周波数より高く、
前記第７帯域の高域端の周波数は、前記第６帯域の低域端の周波数より高く、
前記第４帯域の周波数は、前記第６帯域の低域端の周波数より低く、
前記第５帯域の周波数は、前記第７帯域の高域端の周波数より高い、
請求項２または３に記載のフィルタ装置。
【請求項７】
前記第１スイッチ回路は、さらに、
前記第１共通端子とグランドとの導通および非導通を切り替える第４スイッチ素子と、
前記第１選択端子とグランドとの導通および非導通を切り替える第５スイッチ素子と、
前記第２選択端子とグランドとの導通および非導通を切り替える第６スイッチ素子と、を有する、
請求項２〜６のいずれか１項に記載のフィルタ装置。
【請求項８】
（１）前記第１帯域の高周波信号、前記第２帯域の高周波信号、および前記第４帯域の高周波信号を同時に伝送させる場合には、前記第２共通端子と前記第３選択端子とが導通状態となり、かつ、前記第１スイッチ素子および前記第６スイッチ素子が導通状態となり、かつ、前記第２スイッチ素子、前記第４スイッチ素子および前記第５スイッチ素子が非導通状態となり、
（２）前記第４帯域の高周波信号と前記第２帯域の高周波信号とのみを同時に伝送させる場合には、前記第２共通端子と前記第３選択端子とが導通状態となり、かつ、前記第４スイッチ素子が導通状態となり、前記第１スイッチ素子および前記第５スイッチ素子が非導通状態となり、
（３）前記第１帯域の高周波信号、前記第３帯域の高周波信号、および前記第５帯域の高周波信号を同時に伝送させる場合には、前記第２共通端子と前記第４選択端子とが導通状態となり、かつ、前記第１スイッチ素子、前記第４スイッチ素子および前記第６スイッチ素子が非導通状態となり、かつ、前記第２スイッチ素子および前記第５スイッチ素子が導通状態となり、
（４）前記第５帯域の高周波信号と前記第３帯域の高周波信号とのみを同時に伝送させる場合には、前記第２共通端子と前記第４選択端子とが導通状態となり、かつ、前記第４スイッチ素子が導通状態となり、前記第２スイッチ素子および前記第６スイッチ素子が非導通状態となる、
請求項７に記載のフィルタ装置。
【請求項９】
前記第２スイッチ回路は、さらに、
前記第３選択端子とグランドとの導通および非導通を、前記第２共通端子と前記第３選択端子との導通および非導通と排他的に切り替える第７スイッチ素子と、
前記第４選択端子とグランドとの導通および非導通を、前記第２共通端子と前記第４選択端子との導通および非導通と排他的に切り替える第８スイッチ素子と、を有する、
請求項２〜８のいずれか１項に記載のフィルタ装置。
【請求項１０】
前記第４帯域は、前記第１帯域、前記第２帯域、前記第３帯域、前記第４帯域、前記第５帯域、前記第６帯域、および前記第７帯域のそれぞれと、少なくとも一部の周波数帯域が異なる第８帯域および第９帯域を含み、
前記第５帯域は、前記第１帯域、前記第２帯域、前記第３帯域、前記第４帯域、前記第５帯域、前記第６帯域、前記第７帯域、および前記第９帯域のそれぞれと、少なくとも一部の周波数帯域が異なる前記第８帯域および第１０帯域を含み、
前記第４入出力端子には、前記第９帯域の高周波信号が入出力され、
前記第５入出力端子には、前記第１０帯域の高周波信号が入出力され、
さらに、
前記第８帯域の高周波信号が入出力される第６入出力端子と、
前記第６入出力端子に接続された第３共通端子、第５選択端子、第６選択端子、前記第３共通端子と前記第５選択端子との導通および非導通を切り替える第９スイッチ素子、ならびに、前記第３共通端子と前記第６選択端子との導通および非導通を切り替える第１０スイッチ素子を有する第３スイッチ回路と、を備え、
前記第２フィルタは、一方の端子が前記第３選択端子に接続され、他方の端子が前記第４入出力端子および前記第５選択端子に接続され、
前記第４フィルタは、一方の端子が前記第４選択端子に接続され、他方の端子が前記第５入出力端子および前記第６選択端子に接続されている、
請求項１〜９のいずれか１項に記載のフィルタ装置。
【請求項１１】
請求項１〜１０のいずれか１項に記載のフィルタ装置と、
前記第１入出力端子〜前記第５入出力端子の少なくとも１つに接続された増幅回路と、を備える、
高周波フロントエンド回路。
【請求項１２】
アンテナ素子で送受信される高周波信号を処理するＲＦ信号処理回路と、
前記アンテナ素子と前記ＲＦ信号処理回路との間で前記高周波信号を伝送する請求項１１に記載の高周波フロントエンド回路と、を備える、
通信装置。
【発明の詳細な説明】
【技術分野】
【０００１】
本発明は、フィルタ装置、高周波フロントエンド回路および通信装置に関する。
【背景技術】
【０００２】
近年の通信サービスでは、通信容量の大容量化を目的に、複数の通信帯域を同時に使用するキャリアアグリゲーション（以下、ＣＡと記す）が実行される。通信容量の大容量化を目的としてＣＡ動作を実現するため、フロントエンド回路には、近接した帯域を複数に分波するとともに、低損失化が求められる。特許文献１には、２つの通信帯域のＣＡを実行できるフロントエンド回路が開示されている。特許文献１に開示されたフロントエンド回路は、ダイプレクサ（マルチプレクサ）と、各通信帯域を通過帯域とする複数のデュプレクサ（フィルタ回路）と、ダイプレクサの分波端子と複数のデュプレクサとの接続を切り替えるスイッチ回路とを備える。
【先行技術文献】
【特許文献】
【０００３】
【特許文献１】特開２０１６−１５６７３号公報
【発明の概要】
【発明が解決しようとする課題】
【０００４】
例えば、第１周波数帯域群に属する一の周波数帯域（バンド）が選択され、かつ、第１周波数帯域群に属さない他の周波数帯域（バンド）が選択され、これら２つの周波数帯域（バンド）でＣＡを実行する場合を想定する。ここで、ＣＡを実行するバンドの組み合わせは様々である。そのため、１つのマルチプレクサでこれらの組み合わせに対応する場合、選択度の高い複数のフィルタで当該マルチプレクサを構成する必要がある。しかしながら、上記マルチプレクサを選択度の高い複数のフィルタで構成する場合、それぞれのフィルタの通過帯域内の挿入損失が大きくなり、上記２つの周波数帯域（バンド）の高周波信号の伝送損失（フロントエンド回路の挿入損失）が増大するという問題がある。
【０００５】
そこで、本発明は、上記課題を解決するためになされたものであって、ＣＡが実行される周波数帯域の組み合わせが変化しても、通過帯域内の挿入損失が低減されたフィルタ装置、高周波フロントエンド回路、および通信装置を提供することを目的とする。
【課題を解決するための手段】
【０００６】
上記目的を達成するために、本発明の一態様に係るフィルタ装置は、共通入出力端子と、互いに周波数帯域が異なる第１帯域、第２帯域、第３帯域、第４帯域、第５帯域、前記第１帯域および前記第２帯域を含む第６帯域、および前記第１帯域および前記第３帯域を含む第７帯域のうち、前記第１帯域の高周波信号が入出力される第１入出力端子と、前記第２帯域の高周波信号が入出力される第２入出力端子と、前記第３帯域の高周波信号が入出力される第３入出力端子と、前記第４帯域の高周波信号が入出力される第４入出力端子と、前記第５帯域の高周波信号が入出力される第５入出力端子と、前記第１入出力端子に接続された第１共通端子、第１選択端子、第２選択端子、前記第１共通端子と前記第１選択端子との導通および非導通を切り替える第１スイッチ素子、ならびに、前記第１共通端子と前記第２選択端子との導通および非導通を切り替える第２スイッチ素子を有する第１スイッチ回路と、前記共通入出力端子に接続された第２共通端子、第３選択端子、第４選択端子、前記第２共通端子と前記第３選択端子との導通および前記第２共通端子と前記第４選択端子との導通を排他的に切り替える第３スイッチ素子を有する第２スイッチ回路と、一方の端子が前記第３選択端子に接続され、他方の端子が前記第１選択端子および前記第２入出力端子に接続され、前記第６帯域を通過帯域とする第１フィルタと、一方の端子が前記第３選択端子に接続され、他方の端子が前記第４入出力端子に接続され、前記第４帯域を通過帯域とする第２フィルタと、一方の端子が前記第４選択端子に接続され、他方の端子が前記第２選択端子および前記第３入出力端子に接続され、前記第７帯域を通過帯域とする第３フィルタと、一方の端子が前記第４選択端子に接続され、他方の端子が前記第５入出力端子に接続され、前記第５帯域を通過帯域とする第４フィルタと、を備え、前記第１フィルタと前記第２フィルタとは、前記第６帯域の高周波信号と前記第４帯域の高周波信号とを分波する、合波する、または、分波および合波の双方をする第１分波器を構成し、前記第３フィルタと前記第４フィルタとは、前記第７帯域の高周波信号と前記第５帯域の高周波信号とを分波する、合波する、または、分波および合波の双方をする第２分波器を構成している。
【０００７】
従来のフィルタ装置では、例えば、第４帯域と第５帯域とを包含する第１周波数帯域群の高周波信号と、第６帯域と第７帯域とを包含する第２周波数帯域群の高周波信号とのＣＡを実行すべく、１つの分波器が配置されていた。ここで、ＣＡを実行する周波数帯域（バンド）の組み合わせは様々である。このため、１つの分波器でこれらに対応する場合、選択度の高い複数のフィルタで当該分波器を構成する必要がある。しかしながら、上記分波器を選択度の高い複数のフィルタで構成する場合、それぞれのフィルタの通過帯域内の挿入損失が大きくなり、ＣＡを実行する２つの周波数帯域（バンド）の高周波信号の伝送損失（フロントエンド回路の挿入損失）が増大するという問題があった。
【０００８】
これに対して、上記構成によれば、第１周波数帯域群のうちの第４帯域の高周波信号と、第２周波数帯域群のうちの第６帯域の高周波信号とをＣＡする場合には、第２スイッチ回路の切り替えにより、第１分波器が使用される。一方、第１周波数帯域群のうちの第５帯域の高周波信号と、第２周波数帯域群のうちの第７帯域の高周波信号とをＣＡする場合には、第２スイッチ回路の切り替えにより、第２分波器が使用される。また、第６帯域と第７帯域とに跨る第１帯域の高周波信号をＣＡの一方とする場合には、第１スイッチ回路により、第１フィルタおよび第３フィルタのいずれを第１入出力端子と接続するかを選択できる。つまり、第１分波器および第２分波器を第１スイッチ回路および第２スイッチ回路によって切り替えることで、第１〜第５帯域の高周波信号を低損失で分波できるフィルタ装置を構成できる。
【０００９】
また、前記第１スイッチ素子および前記第２スイッチ素子は、同時に導通状態とならず、個別に導通状態および非導通状態が切り替えられてもよい。
【００１０】
これにより、第１スイッチが導通状態となることで第１帯域の高周波信号を第１入出力端子に入出力させるとともに、第２帯域の高周波信号を第２入出力端子に入出力させる場合に、第２スイッチ素子が非導通状態となることで、上記第１帯域および第２帯域の高周波信号が、第３入出力端子および第２分波器へ漏洩することを抑制できる。また、第２スイッチが導通状態となることで第１帯域の高周波信号を第１入出力端子に入出力させるとともに、第３帯域の高周波信号を第３入出力端子に入出力させる場合に、第１スイッチ素子が非導通状態となることで、上記第１帯域および第３帯域の高周波信号が、第２入出力端子および第１分波器へ漏洩することを抑制できる。
【００１１】
また、（１）前記第１帯域の高周波信号、前記第２帯域の高周波信号、および前記第４帯域の高周波信号を同時に伝送させる場合には、前記第２共通端子と前記第３選択端子とが導通状態となり、かつ、前記第１スイッチ素子が導通状態となり、かつ、前記第２スイッチ素子が非導通状態となり、（２）前記第４帯域の高周波信号と前記第２帯域の高周波信号とのみを同時に伝送させる場合には、前記第２共通端子と前記第３選択端子とが導通状態となり、かつ、前記第１スイッチ素子が非導通状態となり、（３）前記第１帯域の高周波信号、前記第３帯域の高周波信号、および前記第５帯域の高周波信号を同時に伝送させる場合には、前記第２共通端子と前記第４選択端子とが導通状態となり、かつ、前記第１スイッチ素子が非導通状態となり、かつ、前記第２スイッチ素子が導通状態となり、（４）前記第５帯域の高周波信号と前記第３帯域の高周波信号とのみを同時に伝送させる場合には、前記第２共通端子と前記第４選択端子とが導通状態となり、かつ、前記第２スイッチ素子が非導通状態となってもよい。
【００１２】
これにより、上記（１）の場合、第１分波器と共通入出力端子とが接続され、第１入出力端子と共通入出力端子との間で第１帯域の高周波信号が入出力され、第２入出力端子と共通入出力端子との間で第２帯域の高周波信号が入出力され、第４入出力端子と共通入出力端子との間で第４帯域の高周波信号が入出力され、第３および第５入出力端子には、高周波信号が入出力されない。これにより、第１帯域の高周波信号、第２帯域の高周波信号、および、第４帯域の高周波信号のＣＡを低損失で実現できる。
【００１３】
また、上記（２）の場合、第１分波器と共通入出力端子とが接続され、第２入出力端子と共通入出力端子との間で第２帯域の高周波信号が入出力され、第４入出力端子と共通入出力端子との間で第４帯域の高周波信号が入出力され、第１、第３、および第５入出力端子には、高周波信号が入出力されない。これにより、第４帯域の高周波信号と第２帯域の高周波信号とのＣＡを低損失で実現できる。
【００１４】
また、上記（３）の場合、第２分波器と共通入出力端子とが接続され、第１入出力端子と共通入出力端子との間で第１帯域の高周波信号が入出力され、第３入出力端子と共通入出力端子との間で第３帯域の高周波信号が入出力され、第５入出力端子と共通入出力端子との間で第５帯域の高周波信号が入出力され、第２および第４入出力端子には、高周波信号が入出力されない。これにより、第１帯域の高周波信号、第３帯域の高周波信号、および第５帯域の高周波信号のＣＡを低損失で実現できる。
【００１５】
また、上記（４）の場合、第２分波器と共通入出力端子とが接続され、第３入出力端子と共通入出力端子との間で第３帯域の高周波信号が入出力され、第５入出力端子と共通入出力端子との間で第５帯域の高周波信号が入出力され、第１、第２、および第４入出力端子には、高周波信号が入出力されない。これにより、第５帯域の高周波信号と第３帯域の高周波信号とのＣＡを低損失で実現できる。
【００１６】
また、前記第４帯域の高域端の周波数は、前記第５帯域の高域端の周波数より高く、前記第６帯域の低域端の周波数は、前記第７帯域の低域端の周波数より高く、前記第４帯域の周波数は、前記第６帯域の低域端の周波数より低く、前記第５帯域の周波数は、前記第７帯域の低域端の周波数より低くてもよい。
【００１７】
これにより、第４帯域と第５帯域とを包含する第１周波数帯域群が、第６帯域と第７帯域とを包含する第２周波数帯域群よりも低周波側に位置する関係において、第１分波器および第２分波器を第１スイッチ回路および第２スイッチ回路によって切替えることで、第１〜第５帯域の高周波信号を低損失で分波できるフィルタ装置を構成できる。
【００１８】
また、前記第４帯域の低域端の周波数は、前記第５帯域の低域端の周波数より低く、前記第６帯域の高域端の周波数は、前記第７帯域の高域端の周波数より低く、前記第４帯域の周波数は、前記第６帯域の高域端の周波数より高く、前記第５帯域の周波数は、前記第７帯域の高域端の周波数より高くてもよい。
【００１９】
これにより、第４帯域と第５帯域とを包含する第１周波数帯域群が、第６帯域と第７帯域とを包含する第２周波数帯域群よりも高周波側に位置する関係において、第１分波器および第２分波器を第１スイッチ回路および第２スイッチ回路によって切替えることで、第１〜第５帯域の高周波信号を低損失で分波できるフィルタ装置を構成できる。
【００２０】
また、前記第２帯域の周波数は、前記第１帯域の低域端の周波数より低く、前記第３帯域の周波数は、前記第１帯域の高域端の周波数より高く、前記第７帯域の高域端の周波数は、前記第６帯域の低域端の周波数より高く、前記第４帯域の周波数は、前記第６帯域の低域端の周波数より低く、前記第５帯域の周波数は、前記第７帯域の高域端の周波数より高くてもよい。
【００２１】
これにより、第４帯域が、第６帯域と第７帯域とを包含する第２周波数帯域群よりも低周波側に位置し、第５帯域が、第２周波数帯域群よりも高周波側に位置する関係において、第１分波器および第２分波器を第１スイッチ回路および第２スイッチ回路によって切替えることで、第１〜第５帯域の高周波信号を低損失で分波できるフィルタ装置を構成できる。
【００２２】
また、前記第１スイッチ回路は、さらに、前記第１共通端子とグランドとの導通および非導通を切り替える第４スイッチ素子と、前記第１選択端子とグランドとの導通および非導通を切り替える第５スイッチ素子と、前記第２選択端子とグランドとの導通および非導通を切り替える第６スイッチ素子と、を有してもよい。
【００２３】
これにより、第１入出力端子と、第３入出力端子および第２分波器と、第２入出力端子および第１分波器との間での高周波信号の漏洩を低減（アイソレーションを向上）することが可能となる。
【００２４】
また、（１）前記第１帯域の高周波信号、前記第２帯域の高周波信号、および前記第４帯域の高周波信号を同時に伝送させる場合には、前記第２共通端子と前記第３選択端子とが導通状態となり、かつ、前記第１スイッチ素子および前記第６スイッチ素子が導通状態となり、かつ、前記第２スイッチ素子、前記第４スイッチ素子および前記第５スイッチ素子が非導通状態となり、（２）前記第４帯域の高周波信号と前記第２帯域の高周波信号とのみを同時に伝送させる場合には、前記第２共通端子と前記第３選択端子とが導通状態となり、かつ、前記第４スイッチ素子が導通状態となり、前記第１スイッチ素子および前記第５スイッチ素子が非導通状態となり、（３）前記第１帯域の高周波信号、前記第３帯域の高周波信号、および前記第５帯域の高周波信号を同時に伝送させる場合には、前記第２共通端子と前記第４選択端子とが導通状態となり、かつ、前記第１スイッチ素子、前記第４スイッチ素子および前記第６スイッチ素子が非導通状態となり、かつ、前記第２スイッチ素子および前記第５スイッチ素子が導通状態となり、（４）前記第５帯域の高周波信号と前記第３帯域の高周波信号とのみを同時に伝送させる場合には、前記第２共通端子と前記第４選択端子とが導通状態となり、かつ、前記第４スイッチ素子が導通状態となり、前記第２スイッチ素子および前記第６スイッチ素子が非導通状態となってもよい。
【００２５】
これにより、上記（１）の場合、第１分波器と共通入出力端子とが接続され、第１入出力端子と共通入出力端子との間で第１帯域の高周波信号が入出力され、第２入出力端子と共通入出力端子との間で第２帯域の高周波信号が入出力され、第４入出力端子と共通入出力端子との間で第４帯域の高周波信号が入出力され、第３および第５入出力端子には、高周波信号が入出力されない。さらに、第４スイッチ素子〜第６スイッチ素子の状態により、第１入出力端子と第３入出力端子との間での高周波信号の漏れを低減（アイソレーションを向上）することができる。これにより、第１帯域の高周波信号、第２帯域の高周波信号、および、第４帯域の高周波信号のＣＡを、より低損失で実現できる。
【００２６】
また、上記（２）の場合、第１分波器と共通入出力端子とが接続され、第２入出力端子と共通入出力端子との間で第２帯域の高周波信号が入出力され、第４入出力端子と共通入出力端子との間で第４帯域の高周波信号が入出力され、第１、第３、および第５入出力端子には、高周波信号が入出力されない。さらに、第４および第５スイッチ素子の状態により、第１入出力端子と第２入出力端子との間での高周波信号の漏れを低減（アイソレーションを向上）することができる。これにより、第４帯域の高周波信号と第２帯域の高周波信号とのＣＡを、より低損失で実現できる。
【００２７】
また、上記（３）の場合、第２分波器と共通入出力端子とが接続され、第１入出力端子と共通入出力端子との間で第１帯域の高周波信号が入出力され、第３入出力端子と共通入出力端子との間で第３帯域の高周波信号が入出力され、第５入出力端子と共通入出力端子との間で第５帯域の高周波信号が入出力され、第２および第４入出力端子には、高周波信号が入出力されない。さらに、第４スイッチ素子〜第６スイッチ素子の状態により、第１入出力端子と第２入出力端子との間での高周波信号の漏れを低減（アイソレーションを向上）することができる。これにより、第１帯域の高周波信号、第３帯域の高周波信号、および第５帯域の高周波信号のＣＡを、より低損失で実現できる。
【００２８】
また、上記（４）の場合、第２分波器と共通入出力端子とが接続され、第３入出力端子と共通入出力端子との間で第３帯域の高周波信号が入出力され、第５入出力端子と共通入出力端子との間で第５帯域の高周波信号が入出力され、第１、第２、および第４入出力端子には、高周波信号が入出力されない。さらに、第４および第６スイッチ素子の状態により、第１入出力端子と第３入出力端子との間での高周波信号の漏れを低減（アイソレーションを向上）することができる。これにより、第５帯域の高周波信号と第３帯域の高周波信号とのＣＡを、より低損失で実現できる。
【００２９】
また、前記第２スイッチ回路は、さらに、前記第３選択端子とグランドとの導通および非導通を、前記第２共通端子と前記第３選択端子との導通および非導通と排他的に切り替える第７スイッチ素子と、前記第４選択端子とグランドとの導通および非導通を、前記第２共通端子と前記第４選択端子との導通および非導通と排他的に切り替える第８スイッチ素子と、を有してもよい。
【００３０】
これにより、共通入出力端子と、第１分波器と、第２分波器との間での高周波信号の漏洩を低減（アイソレーションを向上）することが可能となる。
【００３１】
また、前記第４帯域は、前記第１帯域、前記第２帯域、前記第３帯域、前記第４帯域、前記第５帯域、前記第６帯域、および前記第７帯域のそれぞれと、少なくとも一部の周波数帯域が異なる第８帯域および第９帯域を含み、前記第５帯域は、前記第１帯域、前記第２帯域、前記第３帯域、前記第４帯域、前記第５帯域、前記第６帯域、前記第７帯域、および前記第９帯域のそれぞれと、少なくとも一部の周波数帯域が異なる前記第８帯域および第１０帯域を含み、前記第４入出力端子には、前記第９帯域の高周波信号が入出力され、前記第５入出力端子には、前記第１０帯域の高周波信号が入出力され、さらに、前記第８帯域の高周波信号が入出力される第６入出力端子と、前記第６入出力端子に接続された第３共通端子、第５選択端子、第６選択端子、前記第３共通端子と前記第５選択端子との導通および非導通を切り替える第９スイッチ素子、ならびに、前記第３共通端子と前記第６選択端子との導通および非導通を切り替える第１０スイッチ素子を有する第３スイッチ回路と、を備え、前記第２フィルタは、一方の端子が前記第３選択端子に接続され、他方の端子が前記第４入出力端子および前記第５選択端子に接続され、前記第４フィルタは、一方の端子が前記第４選択端子に接続され、他方の端子が前記第５入出力端子および前記第６選択端子に接続されていてもよい。
【００３２】
上記構成によれば、第１周波数帯域群のうちの第４帯域の高周波信号と、第２周波数帯域群のうちの第６帯域の高周波信号とをＣＡする場合には、第２スイッチ回路の切り替えにより、第１分波器が使用される。一方、第１周波数帯域群のうちの第５帯域の高周波信号と、第２周波数帯域群のうちの第７帯域の高周波信号とをＣＡする場合には、第２スイッチ回路の切り替えにより、第２分波器が使用される。また、第６帯域と第７帯域とに跨る第１帯域の高周波信号をＣＡの一方とする場合には、第１スイッチ回路により、第１フィルタおよび第３フィルタのいずれを第１入出力端子と接続するかを選択できる。また、第４帯域と第５帯域とに跨る第８帯域の高周波信号をＣＡの一方とする場合には、第３スイッチ回路により、第２フィルタおよび第４フィルタのいずれを第６入出力端子と接続するかを選択できる。つまり、第１分波器および第２分波器を第１スイッチ回路、第２スイッチ回路および第３スイッチ回路によって切り替えることで、第１〜第５帯域の高周波信号を低損失で分波できるフィルタ装置を構成できる。
【００３３】
また、本発明の一態様に係る高周波フロントエンド回路は、上記いずれかに記載のフィルタ装置と、前記第１入出力端子〜前記第５入出力端子の少なくとも１つに接続された増幅回路と、を備える。
【００３４】
これにより、２以上の異なる周波数帯域の高周波信号を同時に低損失で伝送できる高周波フロントエンド回路を提供できる。
【００３５】
また、本発明の一態様に係る通信装置は、アンテナ素子で送受信される高周波信号を処理するＲＦ信号処理回路と、前記アンテナ素子と前記ＲＦ信号処理回路との間で前記高周波信号を伝送する上記記載の高周波フロントエンド回路と、を備える。
【００３６】
これにより、２以上の異なる周波数帯域の高周波信号を同時に低損失で伝送できる通信装置を提供できる。
【発明の効果】
【００３７】
本発明によれば、ＣＡが実行される周波数帯域の組み合わせが変化しても、通過帯域内の挿入損失が低減されたフィルタ装置、高周波フロントエンド回路、および通信装置を提供することができる。
【図面の簡単な説明】
【００３８】
【図１】実施の形態１に係るフィルタ装置およびその周辺回路の回路構成図である。
【図２Ａ】各周波数帯域とダイプレクサの通過特性との第１の関係を示す図である。
【図２Ｂ】各周波数帯域とダイプレクサの通過特性との第２の関係を示す図である。
【図２Ｃ】各周波数帯域とダイプレクサの通過特性との第３の関係を示す図である。
【図３Ａ】実施例１に係るフィルタ装置およびその周辺回路の回路構成図である。
【図３Ｂ】比較例１に係るフィルタ装置およびその周辺回路の回路構成図である。
【図４Ａ】実施例１に係るダイプレクサの通過特性を表すグラフである。
【図４Ｂ】比較例１に係るダイプレクサの通過特性を表すグラフである。
【図５】Ｂａｎｄ１とＢａｎｄ７とのＣＡにおける実施例１および比較例１に係るフィルタ装置の通過特性を比較したグラフである。
【図６】Ｂａｎｄ１とＢａｎｄ４１とのＣＡにおける実施例１および比較例１に係るフィルタ装置の通過特性を比較したグラフである。
【図７】Ｂａｎｄ３とＢａｎｄ４０とＢａｎｄ７とのＣＡにおける実施例１および比較例１に係るフィルタ装置の通過特性を比較したグラフである。
【図８】実施の形態１の変形例１に係るフィルタ装置およびその周辺回路の回路構成図である。
【図９】実施の形態１の変形例２に係るフィルタ装置およびその周辺回路の回路構成図である。
【図１０】実施の形態１の変形例３に係るフィルタ装置およびその周辺回路の回路構成図である。
【図１１】実施の形態２に係るフィルタ装置の回路構成図である。
【図１２】実施の形態２の変形例に係るフィルタ装置の回路構成図である。
【図１３】実施例１に係るフィルタ装置におけるスイッチのオフ容量と挿入損失との関係を表すグラフである。
【図１４Ａ】入出力端子間に配置されたスイッチおよび入出力端子間の経路とグランドとの間に配置されたスイッチで構成されたスイッチ回路のオフ容量と挿入損失との関係を表すグラフである。
【図１４Ｂ】入出力端子間に配置された第１スイッチのみで構成されたスイッチ回路のオフ容量と挿入損失との関係を表すグラフである。
【図１５】実施例２に係るフィルタ装置およびその周辺回路の回路構成図である。
【図１６】Ｂａｎｄ３とＢａｎｄ４０とＢａｎｄ７とのＣＡにおける実施例１および実施例２に係るフィルタ装置の通過特性を比較したグラフである。
【図１７】実施例３に係るフィルタ装置およびその周辺回路の回路構成図である。
【図１８】Ｂａｎｄ３とＢａｎｄ４０とＢａｎｄ７とのＣＡにおける実施例２および実施例３に係るフィルタ装置の通過特性を比較したグラフである。
【図１９】実施の形態３に係る通信装置の構成図である。
【発明を実施するための形態】
【００３９】
以下、本発明の実施の形態について、実施例、変形例、比較例および図面を用いて詳細に説明する。なお、以下で説明する実施例および変形例は、いずれも包括的または具体的な例を示すものである。以下の実施例および変形例で示される数値、形状、材料、構成要素、構成要素の配置および接続形態などは、一例であり、本発明を限定する主旨ではない。以下の実施例および変形例における構成要素のうち、独立請求項に記載されていない構成要素については、任意の構成要素として説明される。また、図面に示される構成要素の大きさまたは大きさの比は、必ずしも厳密ではない。
【００４０】
（実施の形態１）
［１．１  フィルタ装置の構成］
図１は、実施の形態１に係るフィルタ装置１およびその周辺回路の回路構成図である。同図には、本実施の形態に係るフィルタ装置１と、フィルタ装置１の入出力端子に接続されるフィルタ４１〜４５と、が示されている。同図に示すように、本実施の形態に係るフィルタ装置１は、共通入出力端子１００と、入出力端子１１０、１２０、１３０、１４０および１５０と、スイッチ回路３０および３１と、ダイプレクサ１０および２０と、を備える。
【００４１】
共通入出力端子１００は、例えば、アンテナに接続され、当該アンテナで送受信される高周波信号をフィルタ装置１に入出力するための端子である。
【００４２】
入出力端子１１０は、第１帯域の高周波信号が入出力される第１入出力端子である。入出力端子１２０は、第２帯域の高周波信号が入出力される第２入出力端子である。入出力端子１３０は、第３帯域の高周波信号が入出力される第３入出力端子である。入出力端子１４０は、第４帯域の高周波信号が入出力される第４入出力端子である。入出力端子１５０は、第５帯域の高周波信号が入出力される第５入出力端子である。
【００４３】
また、上記第１帯域および上記第２帯域を含む帯域を第６帯域とし、上記第１帯域および上記第３帯域を含む帯域を第７帯域とする。ここで、第１帯域〜第７帯域は、互いに周波数帯域が異なっている。
【００４４】
スイッチ回路３１は、共通端子３１ａ（第１共通端子）、選択端子３１ｂ（第１選択端子）、選択端子３１ｃ（第２選択端子）、ならびに、スイッチ３２および３３を有する第１スイッチ回路である。スイッチ３２は、一方の端子が選択端子３１ｂに接続され、他方の端子が共通端子３１ａに接続され、共通端子３１ａと選択端子３１ｂとの導通および非導通を切り替えるＳＰＳＴ（Ｓｉｎｇｌｅ  Ｐｏｌｅ  Ｓｉｎｇｌｅ  Ｔｈｒｏｗ）型の第１スイッチ素子である。スイッチ３３は、一方の端子が選択端子３１ｃに接続され、他方の端子が共通端子３１ａに接続され、共通端子３１ａと選択端子３１ｃとの導通および非導通を切り替えるＳＰＳＴ型の第２スイッチ素子である。
【００４５】
スイッチ回路３０は、共通端子３０ａ（第２共通端子）、選択端子３０ｂ（第３選択端子）、選択端子３０ｃ（第４選択端子）、および第３スイッチ素子を有する第２スイッチ回路である。第３スイッチ素子（図示せず）は、共通端子３０ａ、選択端子３０ｂおよび３０ｃに接続され、共通端子３０ａと選択端子３０ｂとの導通および共通端子３０ａと選択端子３０ｃとの導通を排他的に切り替える、ＳＰＤＴ（Ｓｉｎｇｌｅ  Ｐｏｌｅ  Ｄｏｕｂｌｅ  Ｔｈｒｏｗ）型のスイッチ素子である。なお、第３スイッチ素子は、ＳＰＳＴ型のスイッチが２つ並列配置された回路構成を有していてもよい。また、ＳＰ３ＴおよびＳＰ４Ｔなどのスイッチ回路であってもよく、この場合には、共通端子および必要な選択端子を使用すればよい。
【００４６】
ダイプレクサ１０は、低域（高域）通過フィルタ１０Ａと、高域（低域）通過フィルタ１０Ｂと、を備える第１分波器である。なお、低域（高域）通過フィルタ１０Ａが低域通過フィルタである場合には、高域（低域）通過フィルタ１０Ｂは高域通過フィルタであり、低域（高域）通過フィルタ１０Ａが高域通過フィルタである場合には、高域（低域）通過フィルタ１０Ｂは低域通過フィルタである。
【００４７】
高域（低域）通過フィルタ１０Ｂは、一方の端子が選択端子３０ｂに接続され、他方の端子が選択端子３１ｂおよび入出力端子１２０に接続され、第６帯域を通過帯域とする第１フィルタである。なお、高域（低域）通過フィルタ１０Ｂの他方の端子と入出力端子１２０との間に、スイッチなどの回路素子が挿入されていてもよい。
【００４８】
低域（高域）通過フィルタ１０Ａは、一方の端子が選択端子３０ｂに接続され、他方の端子が入出力端子１４０に接続され、第４帯域を通過帯域とする第２フィルタである。なお、低域（高域）通過フィルタ１０Ａの他方の端子と入出力端子１４０との間に、スイッチなどの回路素子が挿入されていてもよい。
【００４９】
上記構成により、ダイプレクサ１０は、第６帯域の高周波信号と第４帯域の高周波信号とを分波および合波する。
【００５０】
ダイプレクサ２０は、低域（高域）通過フィルタ２０Ａと、高域（低域）通過フィルタ２０Ｂと、を備える第２分波器である。なお、低域（高域）通過フィルタ２０Ａが低域通過フィルタである場合には、高域（低域）通過フィルタ２０Ｂは高域通過フィルタであり、低域（高域）通過フィルタ２０Ａが高域通過フィルタである場合には、高域（低域）通過フィルタ２０Ｂは低域通過フィルタである。
【００５１】
高域（低域）通過フィルタ２０Ｂは、一方の端子が選択端子３０ｃに接続され、他方の端子が選択端子３１ｃおよび入出力端子１３０に接続され、第７帯域を通過帯域とする第３フィルタである。なお、高域（低域）通過フィルタ２０Ｂの他方の端子と入出力端子１３０との間に、スイッチなどの回路素子が挿入されていてもよい。
【００５２】
低域（高域）通過フィルタ２０Ａは、一方の端子が選択端子３０ｃに接続され、他方の端子が入出力端子１５０に接続され、第５帯域を通過帯域とする第４フィルタである。なお、低域（高域）通過フィルタ２０Ａの他方の端子と入出力端子１５０との間に、スイッチなどの回路素子が挿入されていてもよい。
【００５３】
上記構成により、ダイプレクサ２０は、第７帯域の高周波信号と第５帯域の高周波信号とを分波および合波する。
【００５４】
なお、入出力端子１１０には、第１帯域を通過帯域とするフィルタ４１が接続される。また、入出力端子１２０には、第２帯域を通過帯域とするフィルタ４２が接続される。また、入出力端子１３０には、第３帯域を通過帯域とするフィルタ４３が接続される。また、入出力端子１４０には、第４帯域を通過帯域とするフィルタ４４が接続される。また、入出力端子１５０には、第５帯域を通過帯域とするフィルタ４５が接続される。
【００５５】
従来のフィルタ装置では、例えば、第４帯域と第５帯域とを包含する第１周波数帯域群の高周波信号と、第６帯域と第７帯域とを包含する第２周波数帯域群の高周波信号とのＣＡを実行すべく、１つの分波器が配置されていた。ここで、ＣＡを実行する周波数帯域（バンド）の組み合わせは様々である。このため、１つの分波器でこれらに対応する場合、選択度の高い複数のフィルタで当該分波器を構成する必要がある。しかしながら、上記分波器を選択度の高い複数のフィルタで構成する場合、それぞれのフィルタの通過帯域内の挿入損失が大きくなり、ＣＡを実行する２つの周波数帯域（バンド）の高周波信号の伝送損失（フロントエンド回路の挿入損失）が増大するという問題があった。
【００５６】
これに対して、本実施の形態に係るフィルタ装置１の構成によれば、第１周波数帯域群のうちの第４帯域の高周波信号と、第２周波数帯域群のうちの第６帯域の高周波信号とのＣＡを実行する場合には、スイッチ回路３０の切り替えにより、ダイプレクサ１０が使用される。一方、第１周波数帯域群のうちの第５帯域の高周波信号と、第２周波数帯域群のうちの第７帯域の高周波信号とのＣＡを実行する場合には、スイッチ回路３０の切り替えにより、ダイプレクサ２０が使用される。また、第６帯域と第７帯域とに跨る第１帯域の高周波信号をＣＡの一方とする場合には、スイッチ回路３１により、高域（低域）通過フィルタ１０Ｂおよび２０Ｂのいずれを入出力端子１１０と接続するかを選択できる。つまり、ＣＡが実行される周波数帯域の組み合わせが変化しても、ダイプレクサ１０および２０をスイッチ回路３０および３１によって切り替えることで、第１〜第５帯域における通過帯域内の挿入損失を低減することが可能となる。
【００５７】
なお、スイッチ回路３１において、スイッチ３２および３３は、同時に導通状態とならず、個別に導通状態および非導通状態が切り替えられてもよい。
【００５８】
これにより、スイッチ３２が導通状態となることで第１帯域の高周波信号を入出力端子１１０に入出力させるとともに、第２帯域の高周波信号を入出力端子１２０に入出力させる場合に、スイッチ３３が非導通状態となることで、上記第１帯域および第２帯域の高周波信号が、入出力端子１３０およびダイプレクサ２０へ漏洩することを抑制できる。また、スイッチ３３が導通状態となることで第１帯域の高周波信号を入出力端子１１０に入出力させるとともに、第３帯域の高周波信号を入出力端子１３０に入出力させる場合に、スイッチ３２が非導通状態となることで、上記第１帯域および第３帯域の高周波信号が、入出力端子１２０およびダイプレクサ１０へ漏洩することを抑制できる。
【００５９】
以下、スイッチ回路３０および３１の導通状態および非導通状態について、具体的に示す。
【００６０】
ケース（１）：第１帯域の高周波信号、第２帯域の高周波信号、および第４帯域の高周波信号のＣＡを実行する場合には、共通端子３０ａと選択端子３０ｂとが導通状態（共通端子３０ａと選択端子３０ｃとが非導通状態）となり、かつ、スイッチ３２が導通状態となり、かつ、スイッチ３３が非導通状態となる。
【００６１】
これにより、ダイプレクサ１０と共通入出力端子１００とが接続され、共通入出力端子１００から入出力端子１１０へ第１帯域の高周波信号が伝送され、共通入出力端子１００から入出力端子１２０へ第２帯域の高周波信号が伝送され、共通入出力端子１００から入出力端子１４０へ第４帯域の高周波信号が入出力され、共通入出力端子１００から入出力端子１３０および１５０へは、高周波信号が伝送されない。これにより、第１帯域の高周波信号、第２帯域の高周波信号、および、第４帯域の高周波信号のＣＡを低損失で実現できる。
【００６２】
ケース（２）：第４帯域の高周波信号および第２帯域の高周波信号のみのＣＡを実行する場合には、共通端子３０ａと選択端子３０ｂとが導通状態（共通端子３０ａと選択端子３０ｃとが非導通状態）となり、かつ、スイッチ３２および３３が非導通状態となる。
【００６３】
これにより、ダイプレクサ１０と共通入出力端子１００とが接続され、共通入出力端子１００から入出力端子１２０へ第２帯域の高周波信号が伝送され、共通入出力端子１００から入出力端子１４０へ第４帯域の高周波信号が伝送され、共通入出力端子１００から入出力端子１１０、１３０および１５０には、高周波信号が伝送されない。これにより、第４帯域の高周波信号と第２帯域の高周波信号とのＣＡを低損失で実現できる。
【００６４】
ケース（３）：第１帯域の高周波信号、第３帯域の高周波信号、および第５帯域の高周波信号のＣＡを実行する場合には、共通端子３０ａと選択端子３０ｃとが導通状態（共通端子３０ａと選択端子３０ｂとが非導通状態）となり、かつ、スイッチ３２が非導通状態となり、かつ、スイッチ３３が導通状態となる。
【００６５】
これにより、ダイプレクサ２０と共通入出力端子１００とが接続され、共通入出力端子１００から入出力端子１１０へ第１帯域の高周波信号が伝送され、共通入出力端子１００から入出力端子１３０へ第３帯域の高周波信号が伝送され、共通入出力端子１００から入出力端子１５０へ第５帯域の高周波信号が入出力され、共通入出力端子１００から入出力端子１２０および１４０には、高周波信号が伝送されない。これにより、第１帯域の高周波信号、第３帯域の高周波信号、および第５帯域の高周波信号のＣＡを低損失で実現できる。
【００６６】
ケース（４）：第５帯域の高周波信号および第３帯域の高周波信号のみのＣＡを実行する場合には、共通端子３０ａと選択端子３０ｃとが導通状態（共通端子３０ａと選択端子３０ｂとが非導通状態）となり、かつ、スイッチ３２および３３が非導通状態となる。
【００６７】
これにより、ダイプレクサ２０と共通入出力端子１００とが接続され、共通入出力端子１００から入出力端子１３０へ第３帯域の高周波信号が伝送され、共通入出力端子１００からから入出力端子１５０へ第５帯域の高周波信号が伝送され、共通入出力端子１００から入出力端子１１０、１２０および１４０には、高周波信号が伝送されない。これにより、第５帯域の高周波信号と第３帯域の高周波信号とのＣＡを低損失で実現できる。
【００６８】
図２Ａは、本実施の形態に係るフィルタ装置１に適用される各周波数帯域とダイプレクサ１０および２０の通過特性との第１の関係を示す図である。
【００６９】
本実施の形態に係るフィルタ装置１は、例えば、図２Ａに示された各帯域の周波数割り当てに適用される。図２Ａに示すように、第４帯域の高域端の周波数は、第５帯域の高域端の周波数より高い。また、第６帯域の低域端の周波数は、第７帯域の低域端の周波数より高い。また、第４帯域の周波数は、第６帯域の低域端の周波数より低い。また、第５帯域は、第７帯域の低域端の周波数より低い。
【００７０】
上記のような各帯域の周波数割り当てにおいて、低域（高域）通過フィルタ１０Ａの通過帯域と高域（低域）通過フィルタ１０Ｂの通過帯域との間の周波数帯域は、第４帯域と第６帯域との間に位置している。一方、低域（高域）通過フィルタ２０Ａの通過帯域と高域（低域）通過フィルタ２０Ｂの通過地域との間の周波数帯域は、第５帯域と第７帯域との間に位置している。
【００７１】
上記周波数割り当てにおいて、第１周波数帯域群（例えばローバンド群）に属する第４帯域または第５帯域の高周波信号と第２周波数帯域群（例えばハイバンド群）に属する第６帯域または第７帯域の高周波信号とのＣＡを実行する場合を想定する。この場合、従来の構成では、第１周波数帯域群を通過帯域かつ第２周波数帯域群を減衰帯域とする低周波数側のフィルタと、第２周波数帯域群を通過帯域かつ第１周波数帯域群を減衰帯域とする高周波数側のフィルタとで構成された１つの分波器が用いられる。
【００７２】
しかしながら、第１周波数帯域群と第２周波数帯域群との間の周波数帯域の間隔が狭い場合、低周波数側のフィルタおよび高周波数側のフィルタのそれぞれは、通過帯域と減衰帯域の間の急峻性を上げる必要があり、通過帯域における挿入損失が大きくなる。そのため、ＣＡを実行する２つの帯域の組み合わせによっては、高周波信号の伝送損失（フロントエンド回路の挿入損失）が増大するという問題がある。
【００７３】
これに対して、本実施の形態に係るフィルタ装置１を、図２Ａの周波数割り当てに適用した場合、第４帯域と第５帯域とを包含する第１周波数帯域群が、第６帯域と第７帯域とを包含する第２周波数帯域群よりも低周波側に位置する関係において、ダイプレクサ１０および２０をスイッチ３０および３１によって切替えることで、第１〜第５帯域における通過帯域内の挿入損失を低減することが可能となる。
【００７４】
図２Ｂは、本実施の形態に係るフィルタ装置１に適用される各周波数帯域とダイプレクサ１０および２０の通過特性との第２の関係を示す図である。
【００７５】
本実施の形態に係るフィルタ装置１は、例えば、図２Ｂに示された各帯域の周波数割り当てに適用される。図２Ｂに示すように、第４帯域の低域端の周波数は、第５帯域の低域端の周波数より低い。また、第６帯域の高域端の周波数は、第７帯域の高域端の周波数より低い。また、第４帯域の周波数は、第６帯域の高域端の周波数より高い。また、第５帯域は、第７帯域の高域端の周波数より高い。
【００７６】
上記のような各帯域の周波数割り当てにおいて、高域（低域）通過フィルタ１０Ｂの通過帯域と低域（高域）通過フィルタ１０Ａの通過帯域との間の周波数帯域は、第６帯域と第４帯域との間に位置している。一方、高域（低域）通過フィルタ２０Ｂの通過帯域と低域（高域）通過フィルタ２０Ａの通過帯域との間の周波数帯域は、第７帯域と第５帯域との間に位置している。
【００７７】
上記周波数割り当てにおいて、第１周波数帯域群（例えばハイバンド群）に属する第４帯域または第５帯域の高周波信号と第２周波数帯域群（例えばローバンド群）に属する第６帯域または第７帯域の高周波信号とのＣＡを実行する場合を想定する。この場合、従来の構成では、第１周波数帯域群を通過帯域かつ第２周波数帯域群を減衰帯域とする高周波数側のフィルタと、第２周波数帯域群を通過帯域かつ第１周波数帯域群を減衰帯域とする低周波数側のフィルタとで構成された１つの分波器が用いられる。
【００７８】
しかしながら、第１周波数帯域群と第２周波数帯域群との間の周波数帯域の間隔が狭い場合、低周波数側のフィルタおよび高周波数側のフィルタのそれぞれは、通過帯域と減衰帯域の間の急峻性を上げる必要があり、通過帯域における挿入損失が大きくなる。そのため、ＣＡを実行する２つの帯域の組み合わせによっては、高周波信号の伝送損失（フロントエンド回路の挿入損失）が増大するという問題がある。
【００７９】
本実施の形態に係るフィルタ装置１を、図２Ｂの周波数割り当てに適用した場合、第４帯域と第５帯域とを包含する第１周波数帯域群が、第６帯域と第７帯域とを包含する第２周波数帯域群よりも高周波側に位置する関係において、ダイプレクサ１０および２０をスイッチ３０および３１によって切替えることで、第１〜第５帯域における通過帯域内の挿入損失を低減することが可能となる。
【００８０】
図２Ｃは、本実施の形態に係るフィルタ装置１に適用される各周波数帯域とダイプレクサ１０および２０の通過特性との第３の関係を示す図である。
【００８１】
本実施の形態に係るフィルタ装置１は、例えば、図２Ｃに示された各帯域の周波数割り当てに適用される。図２Ｃに示すように、第２帯域の周波数は、第１帯域の低域端の周波数より低い。また、第３帯域の周波数は、第１帯域の高域端の周波数より高い。また、第７帯域の高域端の周波数は、第６帯域の低域端の周波数より高い。また、第４帯域の周波数は、第６帯域の低域端の周波数より低い。また、第５帯域は、第７帯域の高域端の周波数より高い。
【００８２】
上記のような各帯域の周波数割り当てにおいて、低域（高域）通過フィルタ１０Ａの通過帯域と高域（低域）通過フィルタ１０Ｂの通過帯域との間の周波数帯域は、第４帯域と第６帯域との間に位置している。一方、高域（低域）通過フィルタ２０Ｂの通過帯域と低域（高域）通過フィルタ２０Ａの通過帯域との間の周波数帯域は、第７帯域と第５帯域との間に位置している。
【００８３】
上記周波数割り当てにおいて、第１周波数帯域群（例えばローバンド群）に属する第４帯域の高周波信号、第２周波数帯域群（例えばミドルバンド群）に属する第６帯域および第７帯域の高周波信号、ならびに第３周波数帯域群（例えばハイバンド群）に属する第５帯域の高周波信号のＣＡを実行する場合を想定する。この場合、従来の構成では、第１周波数帯域群を通過帯域かつ第２周波数帯域群と第３周波数帯域群とを減衰帯域とする低周波数側のフィルタ、第２周波数帯域群を通過帯域かつ第１周波数帯域群と第３周波数帯域群とを減衰帯域とする中間周波数側のフィルタ、および、第３周波数帯域群を通過帯域かつ第１周波数帯域群と第２周波数帯域群とを減衰帯域とする高周波数側のフィルタで構成された１つの分波器が用いられる。
【００８４】
しかしながら、中間周波数側のフィルタにおいては、帯域通過型のフィルタが必要になるが、低域通過型のフィルタまたは高域通過型のフィルタと比較して通過帯域内の挿入損失が大きいという問題がある。
【００８５】
これに対して、本実施の形態に係るフィルタ装置１を、図２Ｃの周波数割り当てに適用した場合、第４帯域と第５帯域とが、第６帯域および第７帯域を挟み込む周波数関係において、低域通過フィルタと高域通過フィルタとで構成されたダイプレクサ１０および２０を、スイッチ３０および３１によって切替えることで、第１〜第５帯域における通過帯域内の挿入損失を低減することが可能となる。
【００８６】
なお、本実施の形態に係るフィルタ装置１は、送信および受信の双方を実行するフィルタ装置、受信のみを実行するフィルタ装置、および送信のみを実行するフィルタ装置のいずれであってもよい。フィルタ装置１が送信および受信の双方を実行する場合には、ダイプレクサ１０および２０は、２以上の周波数帯域の高周波信号を分波および合波する機能を有する。また、フィルタ装置１が受信のみを実行する場合には、ダイプレクサ１０および２０は、２以上の周波数帯域の高周波信号を分波する機能を有する。また、フィルタ装置１が送信のみを実行する場合には、ダイプレクサ１０および２０は、２以上の周波数帯域の高周波信号を合波する機能を有する。
【００８７】
［１．２  実施例１および比較例１に係るフィルタ装置の構成］
図３Ａは、実施例１に係るフィルタ装置１Ａおよびその周辺回路の回路構成図である。フィルタ装置１Ａは、実施の形態１に係るフィルタ装置１を、ＬＴＥ（Ｌｏｎｇ  Ｔｅｒｍ  Ｅｖｏｌｕｔｉｏｎ）のバンド（周波数帯域）でＣＡを実行する回路として適用した具体例である。同図に示すように、本実施例に係るフィルタ装置１Ａは、共通入出力端子１００と、入出力端子１１０、１２０、１３０、１４０、１５０ａおよび１５０ｂと、スイッチ回路３０および３１と、スイッチ３４および３５と、ダイプレクサ１０および２０と、を備える。同図に示されたフィルタ装置１Ａは、実施の形態１に係るフィルタ装置１と比較して、スイッチ３４および３５が付加されていること、入出力端子１５０が入出力端子１５０ａおよび１５０ｂに代わっていること、が構成として異なる。以下、実施例１に係るフィルタ装置１Ａについて、実施の形態１に係るフィルタ装置１と同じ構成については説明を省略し、異なる構成を中心に説明する。
【００８８】
なお、本実施例では、第１帯域〜第７帯域とＬＴＥのバンドとを、以下のように対応させている。
【００８９】
第１帯域は、ＬＴＥのＢａｎｄ７（送信帯域：２５００−２５７０ＭＨｚ、受信帯域：２６２０−２６９０ＭＨｚ）である。
【００９０】
第２帯域は、ＬＴＥのＢａｎｄ４０（送受信帯域：２３００−２４００ＭＨｚ）である。
【００９１】
第３帯域は、ＬＴＥのＢａｎｄ４１（送受信帯域：２４９６−２６９０ＭＨｚ）である。なお、Ｂａｎｄ４１は、Ｂａｎｄ３８（送受信帯域：２５７０−２６２０ＭＨｚ）を含む。
【００９２】
第４帯域は、ＬＴＥのＢａｎｄ３（送信帯域：１７１０−１７８５ＭＨｚ、受信帯域：１８０５−１８８０ＭＨｚ）である。
【００９３】
第５帯域は、ＬＴＥのＢａｎｄ１（送信帯域：１９２０−１９８０ＭＨｚ、受信帯域：２１１０−２１７０ＭＨｚ）、および、Ｂａｎｄ３９（送受信帯域：１８８０−１９２０ＭＨｚ）を含む。
【００９４】
つまり、第２帯域の周波数は、前記第１帯域の低域端の周波数より低い。第３帯域の周波数は、第１帯域の低域端の周波数より低い周波数を含む。第４帯域の周波数は、第６帯域（第１帯域＋第２帯域）の低域端の周波数より低い。第５帯域は、第７帯域（第１帯域＋第３帯域）の低域端の周波数より低い。
【００９５】
入出力端子１５０ａは、ＬＴＥのＢａｎｄ１の高周波信号が入出力される第５入出力端子であり、入出力端子１５０ｂは、ＬＴＥのＢａｎｄ３９の高周波信号が入出力される第５入出力端子である。
【００９６】
スイッチ３４は、一方の端子が選択端子３１ｃに接続され、他方の端子が入出力端子１３０に接続され、選択端子３１ｃと入出力端子１３０との導通および非導通を切り替えるスイッチ素子である。
【００９７】
スイッチ３５は、共通端子３５ａ、選択端子３５ｂおよび３５ｃを有し、共通端子３５ａと選択端子３５ｂとの導通および共通端子３５ａと選択端子３５ｃとの導通を排他的に切り替えるスイッチ素子である。
【００９８】
高域（低域）通過フィルタ２０Ｂは、一方の端子が選択端子３０ｃに接続され、他方の端子が選択端子３１ｃおよびスイッチ３４を介して入出力端子１３０に接続されている。
【００９９】
低域（高域）通過フィルタ２０Ａは、一方の端子が選択端子３０ｃに接続され、他方の端子が共通端子３５ａに接続されている。つまり、低域（高域）通過フィルタ２０Ａは、一方の端子がスイッチ３５を介して入出力端子１５０ａおよび１５０ｂに接続されている。
【０１００】
なお、入出力端子１１０と送受信端子１１１との間には、Ｂａｎｄ７の送信帯域を通過帯域とする送信フィルタ４１Ｔが接続され、入出力端子１１０と送受信端子１１２との間には、Ｂａｎｄ７の受信帯域を通過帯域とする受信フィルタ４１Ｒが接続される。送信フィルタ４１Ｔおよび受信フィルタ４１Ｒは、Ｂａｎｄ７用のデュプレクサを構成している。
【０１０１】
また、入出力端子１２０と送受信端子１２１との間には、Ｂａｎｄ４０の送受信帯域を通過帯域とする送受信フィルタ４２ＴＲが接続される。
【０１０２】
また、入出力端子１３０と送受信端子１３１との間には、Ｂａｎｄ４１の送受信帯域を通過帯域とする送受信フィルタ４３ＴＲが接続される。
【０１０３】
また、入出力端子１４０と送受信端子１４１との間には、Ｂａｎｄ３の送信帯域を通過帯域とする送信フィルタ４４Ｔが接続され、入出力端子１４０と送受信端子１４２との間には、Ｂａｎｄ３の受信帯域を通過帯域とする受信フィルタ４４Ｒが接続される。送信フィルタ４４Ｔおよび受信フィルタ４４Ｒは、Ｂａｎｄ３用のデュプレクサを構成している。
【０１０４】
また、入出力端子１５０ａと送受信端子１５１との間には、Ｂａｎｄ１の送信帯域を通過帯域とする送信フィルタ４５Ｔが接続され、入出力端子１５０ａと送受信端子１５２との間には、Ｂａｎｄ１の受信帯域を通過帯域とする受信フィルタ４５Ｒが接続される。送信フィルタ４５Ｔおよび受信フィルタ４５Ｒは、Ｂａｎｄ１用のデュプレクサを構成している。
【０１０５】
また、入出力端子１５０ｂと送受信端子１５３との間には、Ｂａｎｄ３９の送受信帯域を通過帯域とする送受信フィルタ４５ＴＲが接続される。
【０１０６】
なお、第１帯域であるＢａｎｄ７と、第３帯域であるＢａｎｄ４１との周波数帯域は一部重複している。このため、スイッチ３３の導通および非導通の切り替えに対し、スイッチ３４の導通および非導通を排他的に切り替えることで、第１帯域であるＢａｎｄ７の高周波信号が入出力端子１１０に入出力される、または、第３帯域であるＢａｎｄ４１の高周波信号が入出力端子１３０に入出力される、の何れか一方が選択される。
【０１０７】
また、第５帯域であるＢａｎｄ１とＢａｎｄ３９とは近接している。このため、スイッチ３５において、共通端子３５ａと選択端子３５ｂとの導通および非導通の切り替えに対し、共通端子３５ａと選択端子３５ｃとの導通および非導通を排他的に切り替えることで、第５帯域であるＢａｎｄ１の高周波信号が入出力端子１５０ａに入出力される、または、第５帯域であるＢａｎｄ３９の高周波信号が入出力端子１５０ｂに入出力される、の何れか一方が選択される。
【０１０８】
また、上記構成において、低域（高域）通過フィルタ１０Ａは、Ｂａｎｄ３の送受信帯域（１７１０−１８８０ＭＨｚ）を通過帯域とし、Ｂａｎｄ４０およびＢａｎｄ７を含む周波数帯を減衰帯域とする低域通過フィルタである。高域（低域）通過フィルタ１０Ｂは、Ｂａｎｄ７および４０の送受信帯域（２３００−２６９０ＭＨｚ）を通過帯域とし、Ｂａｎｄ３の送受信帯域を減衰帯域とする高域通過フィルタである。つまり、低域（高域）通過フィルタ１０Ａの通過帯域と高域（低域）通過フィルタ１０Ｂの通過帯域との間の周波数間隔（ギャップ１）は、４２０ＭＨｚである。
【０１０９】
また、上記構成において、低域（高域）通過フィルタ２０Ａは、Ｂａｎｄ１および３９の送受信帯域（１８８０−２１７０ＭＨｚ）を通過帯域とし、Ｂａｎｄ７、４１および３８の送受信帯域を減衰帯域とする低域通過フィルタである。高域（低域）通過フィルタ２０Ｂは、Ｂａｎｄ７、４１および３８の送受信帯域（２４９６−２６９０ＭＨｚ）を通過帯域とし、Ｂａｎｄ１および３９の送受信帯域を減衰帯域とする高域通過フィルタである。つまり、低域（高域）通過フィルタ２０Ａの通過帯域と高域（低域）通過フィルタ２０Ｂの通過帯域との間の周波数間隔（ギャップ２）は、３２６ＭＨｚである。
【０１１０】
上記構成において、例えば、以下のようなＣＡが実行される。
【０１１１】
（ａ）Ｂａｎｄ１＋Ｂａｎｄ７
（ｂ）Ｂａｎｄ１＋Ｂａｎｄ４１
（ｃ）Ｂａｎｄ３＋Ｂａｎｄ７
（ｄ）Ｂａｎｄ３＋Ｂａｎｄ４０
（ｅ）Ｂａｎｄ３＋Ｂａｎｄ３８
（ｆ）Ｂａｎｄ３９＋Ｂａｎｄ４１
（ｇ）Ｂａｎｄ３＋Ｂａｎｄ４０＋Ｂａｎｄ７
【０１１２】
図３Ｂは、比較例１に係るフィルタ装置５００Ａおよびその周辺回路の回路構成図である。フィルタ装置５００Ａは、ＬＴＥのバンド（周波数帯域）でＣＡを実行する回路として適用した従来のフィルタ装置の具体例である。同図に示すように、比較例１に係るフィルタ装置５００Ａは、共通入出力端子１００と、入出力端子１１０、１２０、１３０、１４０、１５０ａ、および１５０ｂと、スイッチ回路３６および３７と、ダイプレクサ５１０と、を備える。同図に示されたフィルタ装置５００Ａは、実施例１に係るフィルタ装置１Ａと比較して、ダイプレクサが１つのみ配置されていることが、主として異なる。以下、比較例１に係るフィルタ装置５００Ａについて、実施例１に係るフィルタ装置１Ａと異なる構成を中心に説明する。
【０１１３】
入出力端子１１０は、ＬＴＥのＢａｎｄ７の高周波信号を入出力する端子である。入出力端子１２０は、ＬＴＥのＢａｎｄ４０（Ｂａｎｄ３８を含む）の高周波信号を入出力する端子である。入出力端子１３０は、ＬＴＥのＢａｎｄ４３の高周波信号を入出力する端子である。入出力端子１４０は、ＬＴＥのＢａｎｄ３の高周波信号を入出力する端子である。入出力端子１５０ａは、ＬＴＥのＢａｎｄ１の高周波信号を入出力する端子である。入出力端子１５０ｂは、ＬＴＥのＢａｎｄ３９の高周波信号を入出力する端子である。
【０１１４】
スイッチ回路３６は、共通端子３６ａ、選択端子３６ｂ、３６ｃおよび３６ｄを有し、共通端子３６ａと選択端子３６ｂとの接続、共通端子３６ａと選択端子３６ｃとの接続、ならびに、共通端子３６ａと選択端子３６ｄとの接続を切り替える。
【０１１５】
スイッチ回路３７は、共通端子３７ａ、選択端子３７ｂ、３７ｃ、および３７ｄを有し、共通端子３７ａと選択端子３７ｂとの接続、共通端子３７ａと選択端子３７ｃとの接続、および共通端子３７ａと選択端子３７ｄとの接続との接続を切り替える。なお、スイッチ３７は、例えば、３つのＳＰＳＴ型のスイッチ素子で構成されており、上記３つの接続を、独立に切り替えることができる。たとえば、上記３つの接続を同時に導通状態とする、上記３つの接続のうち２つを同時に導通状態とする、ことが可能である。
【０１１６】
ダイプレクサ５１０は、低域通過フィルタ５１０Ａと、高域通過フィルタ５１０Ｂと、を備える分波器である。
【０１１７】
低域通過フィルタ５１０Ａは、一方の端子が共通入出力端子１００に接続され、他方の端子が共通端子３６ａに接続され、Ｂａｎｄ３、Ｂａｎｄ１、およびＢａｎｄ３９の送受信帯域（１７１０−２１７０ＭＨｚ）を通過帯域とするフィルタである。
【０１１８】
高域通過フィルタ５１０Ｂは、一方の端子が共通入出力端子１００に接続され、他方の端子が共通端子３７ａに接続され、Ｂａｎｄ４０（Ｂａｎｄ３８を含む）、Ｂａｎｄ７およびＢａｎｄ４１の送受信帯域（２３００−２６９０ＭＨｚ）を通過帯域とするフィルタである。
【０１１９】
つまり、低域通過フィルタ５１０Ａの通過帯域と高域通過フィルタ５１０Ｂの通過帯域との間の周波数間隔（ギャップ）は、１３０ＭＨｚである。
【０１２０】
上記構成において、実施例１に係るフィルタ装置１Ａと同様に、例えば、以下のＣＡが実行される。
【０１２１】
（ａ）Ｂａｎｄ１＋Ｂａｎｄ７
（ｂ）Ｂａｎｄ１＋Ｂａｎｄ４１
（ｃ）Ｂａｎｄ３＋Ｂａｎｄ７
（ｄ）Ｂａｎｄ３＋Ｂａｎｄ４０
（ｅ）Ｂａｎｄ３＋Ｂａｎｄ３８
（ｆ）Ｂａｎｄ３９＋Ｂａｎｄ４１
（ｇ）Ｂａｎｄ３＋Ｂａｎｄ４０＋Ｂａｎｄ７
【０１２２】
比較例１に係るフィルタ装置５００Ａでは、実施例１に係るフィルタ装置１Ａと比較して、ダイプレクサ５１０により分波する周波数間隔（ギャップ）が１３０ＭＨｚと狭いため、ＣＡを実行する周波数帯域の組み合わせにより、挿入損失が大きくなる。
【０１２３】
これに対して、実施例１に係るフィルタ装置１Ａでは、比較例１に係るフィルタ装置５００Ａと比較して、周波数間隔（ギャップ１およびギャップ２）が広いダイプレクサ１０および２０のいずれかが、ＣＡを実行する周波数帯域の組み合わせにより選択されるので、挿入損失を低減できる。加えて、低域通過フィルタおよび高域通過フィルタで構成されるダイプレクサにおいて、周波数間隔が小さいほど、挿入損失が大きくなるとともに、各フィルタの減衰量は小さくなる。この減衰量が小さくなると、これらのフィルタで構成したダイプレクサの挿入損失は悪化する。これに対して、実施例１に係るフィルタ装置１Ａでは、周波数間隔を大きくしているので、減衰量の観点からも、挿入損失を低減できる。
【０１２４】
なお、上述した周波数間隔とは、低域通過フィルタの通過帯域高域端の周波数と、高域通過フィルタの通過帯域低域端の周波数との差と定義される。
【０１２５】
［１．３  実施例１および比較例１に係るフィルタ装置の通過特性］
図４Ａは、実施例１に係るフィルタ装置１Ａの通過特性を表すグラフである。より具体的には、図４Ａの（ａ）には、フィルタ装置１Ａにおける共通入出力端子１００と低域（高域）通過フィルタ１０Ａの他方の端子（Ｐｏｒｔ１０Ａ）との間の挿入損失が示され、図４Ａの（ｂ）には、フィルタ装置１Ａにおける共通入出力端子１００と高域（低域）通過フィルタ１０Ｂの他方の端子（Ｐｏｒｔ１０Ｂ）との間の挿入損失が示され、図４Ａの（ｃ）には、フィルタ装置１Ａにおける共通入出力端子１００と低域（高域）通過フィルタ２０Ａの他方の端子（Ｐｏｒｔ２０Ａ）との間の挿入損失が示され、図４Ａの（ｄ）には、フィルタ装置１Ａにおける共通入出力端子１００と高域（低域）通過フィルタ２０Ｂの他方の端子（Ｐｏｒｔ２０Ｂ）との間の挿入損失が示されている。
【０１２６】
図４Ａの（ａ）に示すように、低域（高域）通過フィルタ１０Ａの通過帯域高周波端の周波数１９２０ＭＨｚでは、挿入損失が０．６８４ｄＢである。また、図４Ａの（ｂ）に示すように、高域（低域）通過フィルタ１０Ｂの通過帯域低周波端の周波数２３００ＭＨｚでは、挿入損失が０．７２３ｄＢである。このように、ダイプレクサ１０の通過帯域の端部周波数において、挿入損失が１ｄＢ以下であり、低損失となっている。
【０１２７】
図４Ａの（ｃ）に示すように、低域（高域）通過フィルタ２０Ａの通過帯域高周波端の周波数２１７０ＭＨｚでは、挿入損失が０．８９３ｄＢである。また、図４Ａの（ｄ）に示すように、高域（低域）通過フィルタ２０Ｂの通過帯域低周波端の周波数２４９５ＭＨｚでは、挿入損失が０．７９８ｄＢである。このように、ダイプレクサ２０の通過帯域の端部周波数において、挿入損失が１ｄＢ以下であり、低損失となっている。
【０１２８】
図４Ｂは、比較例１に係るフィルタ装置５００Ａの通過特性を表すグラフである。より具体的には、図４Ｂの（ａ）には、フィルタ装置５００Ａにおける共通入出力端子１００と低域通過フィルタ５１０Ａの他方の端子（Ｐｏｒｔ５１０Ａ）との間の挿入損失が示され、図４Ｂの（ｂ）には、フィルタ装置５００Ａにおける共通入出力端子１００と高域通過フィルタ５１０Ｂの他方の端子（Ｐｏｒｔ５１０Ｂ）との間の挿入損失が示されている。
【０１２９】
図４Ｂの（ａ）に示すように、低域通過フィルタ５１０Ａの通過帯域高周波端の周波数２１７０ＭＨｚでは、挿入損失が１．５４４ｄＢである。また、図４Ｂの（ｂ）に示すように、高域通過フィルタ５１０Ｂの通過帯域低周波端の周波数２３００ＭＨｚでは、挿入損失が１．５４３ｄＢである。このように、低域通過フィルタ５１０Ａの通過帯域と高域通過フィルタ５１０Ｂとの通過帯域との周波数間隔が１３０ＭＨｚと狭いため、ダイプレクサ５１０の通過帯域の端部周波数において、挿入損失が１ｄＢ以上となり、挿入損失が大きくなっている。
【０１３０】
図５は、Ｂａｎｄ１（送信帯域：１９２０−１９８０ＭＨｚ、受信帯域：２１１０−２１７０ＭＨｚ）とＢａｎｄ７（送信帯域：２５００−２５７０ＭＨｚ、受信帯域：２６２０−２６９０ＭＨｚ）とのＣＡにおける実施例１および比較例１に係るフィルタ装置の通過特性を比較したグラフである。
【０１３１】
より具体的には、図５の（ａ）には、実施例１における共通入出力端子１００−送受信端子１５１間の通過特性と、比較例１における共通入出力端子１００−送受信端子１５１間の通過特性とが示され（以上左側グラフ）、また、それらの通過帯域付近が拡大された特性（以上右側グラフ）が示されている。
【０１３２】
また、図５の（ｂ）には、実施例１における共通入出力端子１００−送受信端子１５２間の通過特性と、比較例１における共通入出力端子１００−送受信端子１５２間の通過特性とが示され（以上左側グラフ）、また、それらの通過帯域付近が拡大された特性（以上右側グラフ）が示されている。
【０１３３】
また、図５の（ｃ）には、実施例１における共通入出力端子１００−送受信端子１１１間の通過特性と、比較例１における共通入出力端子１００−送受信端子１１１間の通過特性とが示され（以上左側グラフ）、また、それらの通過帯域付近が拡大された特性（以上右側グラフ）が示されている。
【０１３４】
また、図５の（ｄ）には、実施例１における共通入出力端子１００−送受信端子１１２間の通過特性と、比較例１における共通入出力端子１００−送受信端子１１２間の通過特性とが示され（以上左側グラフ）、また、それらの通過帯域付近が拡大された特性（以上右側グラフ）が示されている。
【０１３５】
なお、図５において、Ｐｏｒｔ１００は共通入出力端子１００と同義であり、Ｐｏｒｔ１５１、１５２、１１１および１１２は、それぞれ、送受信端子１５１、１５２、１１１および１１２と同義である。
【０１３６】
Ｂａｎｄ１およびＢａｎｄ７のＣＡを実行するにあたり、実施例１に係るフィルタ装置１Ａでは、スイッチ３３、共通端子３０ａ−選択端子３０ｃ間、および共通端子３５ａ−選択端子３５ｂ間が導通状態となり、スイッチ３２、３４、共通端子３０ａ−選択端子３０ｂ間、および共通端子３５ａ−選択端子３５ｃ間が非導通状態となっている。
【０１３７】
また、比較例１に係るフィルタ装置５００Ａでは、共通端子３６ａ−選択端子３６ｃ間および共通端子３７ａ−選択端子３７ｄ間が導通状態となり、共通端子３６ａ−選択端子３６ｂ間、共通端子３６ａ−選択端子３６ｄ間、共通端子３７ａ−選択端子３７ｂ間、共通端子３７ａ−選択端子３７ｃ間および共通端子３７ａ−選択端子３７ｅ間が非導通状態となっている。
【０１３８】
実施例１および比較例１における通過特性を比較すると、特に図５の（ｂ）に示すように、Ｂａｎｄ１の受信帯域におけるフィルタ装置１Ａとフィルタ４５Ｒとが接続された経路の挿入損失よりも、フィルタ装置５００Ａとフィルタ４５Ｒとが接続された経路の挿入損失のほうが顕著に増加している。これは、図４Ｂの（ａ）に示すように、低域通過フィルタ５１０Ａの通過帯域の高周波側（Ｂａｎｄ１の受信帯域）において、挿入損失が劣化していることによるものである。
【０１３９】
一方、実施例１に係るフィルタ装置１Ａでは、Ｂａｎｄ１およびＢａｎｄ７のＣＡを実行するにあたり、スイッチ回路３０によりダイプレクサ２０が選択されるので、Ｂａｎｄ１およびＢａｎｄ７のいずれの帯域においても、ダイプレクサ２０による挿入損失が１ｄＢ以下となり、挿入損失を低減できている。
【０１４０】
さらに、ダイプレクサ１０および２０の通過帯域に跨るＢａｎｄ７（第１帯域）の信号経路として、スイッチ回路３１（スイッチ３２および３３）により、高域（低域）通過フィルタ２０Ｂおよびスイッチ３３を介する経路に選択できるので、Ｂａｎｄ７の通過帯域における挿入損失を低減できている。
【０１４１】
図６は、Ｂａｎｄ１（送信帯域：１９２０−１９８０ＭＨｚ、受信帯域：２１１０−２１７０ＭＨｚ）とＢａｎｄ４１（送受信帯域：２４９６−２６９０ＭＨｚ）とのＣＡにおける実施例１および比較例１に係るフィルタ装置の通過特性を比較したグラフである。
【０１４２】
より具体的には、図６の（ａ）には、実施例１における共通入出力端子１００−送受信端子１５１間の通過特性と、比較例１における共通入出力端子１００−送受信端子１５１間の通過特性とが示され（以上左側グラフ）、また、それらの通過帯域付近が拡大された特性（以上右側グラフ）が示されている。
【０１４３】
また、図６の（ｂ）には、実施例１における共通入出力端子１００−送受信端子１５２間の通過特性と、比較例１における共通入出力端子１００−送受信端子１５２間の通過特性とが示され（以上左側グラフ）、また、それらの通過帯域付近が拡大された特性（以上右側グラフ）が示されている。
【０１４４】
また、図６の（ｃ）には、実施例１における共通入出力端子１００−送受信端子１３１間の通過特性と、比較例１における共通入出力端子１００−送受信端子１３１間の通過特性とが示され（以上左側グラフ）、また、それらの通過帯域付近が拡大された特性（以上右側グラフ）が示されている。
【０１４５】
Ｂａｎｄ１およびＢａｎｄ４１のＣＡを実行するにあたり、実施例１に係るフィルタ装置１Ａでは、スイッチ３４、共通端子３０ａ−選択端子３０ｃ間、および共通端子３５ａ−選択端子３５ｂ間が導通状態となり、スイッチ３２、３３、共通端子３０ａ−選択端子３０ｂ間、および共通端子３５ａ−選択端子３５ｃ間が非導通状態となっている。
【０１４６】
また、比較例１に係るフィルタ装置５００Ａでは、共通端子３６ａ−選択端子３６ｃ間および共通端子３７ａ−選択端子３７ｅ間が導通状態となり、共通端子３６ａ−選択端子３６ｂ間、共通端子３６ａ−選択端子３６ｄ間、共通端子３７ａ−選択端子３７ｂ間、共通端子３７ａ−選択端子３７ｃ間および共通端子３７ａ−選択端子３７ｄ間が非導通状態となっている。
【０１４７】
実施例１および比較例１における通過特性を比較すると、特に図６の（ｂ）に示すように、Ｂａｎｄ１の受信帯域におけるフィルタ装置１Ａとフィルタ４５Ｒとが接続された経路の挿入損失よりも、フィルタ装置５００Ａとフィルタ４５Ｒとが接続された経路の挿入損失のほうが顕著に増加している。これは、図４Ｂの（ａ）に示すように、低域通過フィルタ５１０Ａの通過帯域の高周波側（Ｂａｎｄ１の受信帯域）において、挿入損失が劣化していることによるものである。
【０１４８】
一方、実施例１に係るフィルタ装置１Ａでは、Ｂａｎｄ１およびＢａｎｄ４１のＣＡを実行するにあたり、スイッチ回路３０によりダイプレクサ２０が選択されるので、Ｂａｎｄ１およびＢａｎｄ４１のいずれの帯域においても、ダイプレクサ２０による挿入損失が１ｄＢ以下となり、挿入損失を低減できている。
【０１４９】
さらに、スイッチ回路３１（スイッチ３２および３３）およびスイッチ３４により、ダイプレクサ１０および２０の通過帯域に跨るＢａｎｄ７（第１帯域）の信号とＢａｎｄ４１（第３帯域）の信号とのアイソレーションを確保でき、Ｂａｎｄ４１の信号経路として高域（低域）通過フィルタ２０Ｂおよびスイッチ３４を介する経路に選択できるので、Ｂａｎｄ４１の通過帯域における挿入損失を低減できている。
【０１５０】
図７は、Ｂａｎｄ３（送信帯域：１７１０−１７８５ＭＨｚ、受信帯域：１８０５−１８８０ＭＨｚ）とＢａｎｄ４０（送受信帯域：２３００−２４００ＭＨｚ）とＢａｎｄ７（送信帯域：２５００−２５７０ＭＨｚ、受信帯域：２６２０−２６９０ＭＨｚ）との３ＣＡにおける実施例１および比較例１に係るフィルタ装置の通過特性を比較したグラフである。
【０１５１】
より具体的には、図７の（ａ）には、実施例１における共通入出力端子１００−送受信端子１４１間の通過特性と、比較例１における共通入出力端子１００−送受信端子１４１間の通過特性とが示され（以上左側グラフ）、また、それらの通過帯域付近が拡大された特性（以上右側グラフ）が示されている。
【０１５２】
また、図７の（ｂ）には、実施例１における共通入出力端子１００−送受信端子１４２間の通過特性と、比較例１における共通入出力端子１００−送受信端子１４２間の通過特性とが示され（以上左側グラフ）、また、それらの通過帯域付近が拡大された特性（以上右側グラフ）が示されている。
【０１５３】
また、図７の（ｃ）には、実施例１における共通入出力端子１００−送受信端子１２１間の通過特性が加算された通過特性と、比較例１における共通入出力端子１００−送受信端子１２１間の通過特性とが示され（以上左側グラフ）、また、それらの通過帯域付近が拡大された特性（以上右側グラフ）が示されている。
【０１５４】
また、図７の（ｄ）には、実施例１における共通入出力端子１００−送受信端子１１１間の通過特性と、比較例１における共通入出力端子１００−送受信端子１１１間の通過特性とが示され（以上左側グラフ）、また、それらの通過帯域付近が拡大された特性（以上右側グラフ）が示されている。
【０１５５】
また、図７の（ｅ）には、実施例１における共通入出力端子１００−送受信端子１１２間の通過特性と、比較例１における共通入出力端子１００−送受信端子１１２間の通過特性とが示され（以上左側グラフ）、また、それらの通過帯域付近が拡大された特性（以上右側グラフ）が示されている。
【０１５６】
Ｂａｎｄ３、Ｂａｎｄ４０およびＢａｎｄ７の３ＣＡを実行するにあたり、実施例１に係るフィルタ装置１Ａでは、スイッチ３２および共通端子３０ａ−選択端子３０ｂ間が導通状態となり、スイッチ３３、３４、および共通端子３０ａ−選択端子３０ｃ間が非導通状態となっている。なお、共通端子３５ａ−選択端子３５ｂ間および共通端子３５ａ−選択端子３５ｃ間の接続状態は、いずれであってもよい。
【０１５７】
また、比較例１に係るフィルタ装置５００Ａでは、共通端子３６ａ−選択端子３６ｂ間、共通端子３７ａ−選択端子３７ｂ間および共通端子３７ａ−選択端子３７ｄ間が導通状態となり、共通端子３６ａ−選択端子３６ｃ間、共通端子３６ａ−選択端子３６ｄ間、共通端子３７ａ−選択端子３７ｃ間および共通端子３７ａ−選択端子３７ｅ間が非導通状態となっている。
【０１５８】
実施例１および比較例１における通過特性を比較すると、特に図７の（ｃ）に示すように、Ｂａｎｄ４０の通過帯域におけるフィルタ装置１Ａとフィルタ４２ＴＲとが接続された経路の挿入損失は、フィルタ装置５００Ａとフィルタ４２ＴＲとが接続された経路の挿入損失のほうが顕著に増加している。これは、図４Ｂの（ｂ）に示すように、高域通過フィルタ５１０Ｂの通過帯域の低周波側（Ｂａｎｄ４０の送受信帯域）において、挿入損失が劣化していることによるものである。
【０１５９】
一方、実施例１に係るフィルタ装置１Ａでは、Ｂａｎｄ３、Ｂａｎｄ４０およびＢａｎｄ７の３ＣＡを実行するにあたり、スイッチ回路３０によりダイプレクサ１０が選択されるので、Ｂａｎｄ３、Ｂａｎｄ４０およびＢａｎｄ７のいずれの帯域においても、ダイプレクサ１０による挿入損失が１ｄＢ以下となり、挿入損失を低減できている。
【０１６０】
さらに、ダイプレクサ１０および２０の通過帯域に跨るＢａｎｄ７（第１帯域）の信号経路として、スイッチ回路３１（スイッチ３２および３３）により、高域（低域）通過フィルタ１０Ｂおよびスイッチ３２を介する経路に選択できるので、Ｂａｎｄ７の通過帯域における挿入損失を低減できている。
【０１６１】
［１．４  変形例１に係るフィルタ装置］
図８は、実施の形態１の変形例１に係るフィルタ装置１Ｂおよびその周辺回路の回路構成図である。同図に示すように、本変形例に係るフィルタ装置１Ｂは、共通入出力端子１００と、入出力端子１１０、１２０、１３０、１４０、１５０ａおよび１５０ｂと、スイッチ回路３０および３１と、スイッチ３４、３５および３９と、ダイプレクサ１０および２０と、を備える。同図に示されたフィルタ装置１Ｂは、実施例１に係るフィルタ装置１Ａと比較して、スイッチ３９が付加されていること、ならびに、第４帯域および第５帯域と第６帯域および第７帯域との周波数関係、が異なる。以下、変形例１に係るフィルタ装置１Ｂについて、実施例１に係るフィルタ装置１Ａと同じ構成については説明を省略し、異なる構成を中心に説明する。
【０１６２】
本変形例では、第１帯域〜第７帯域とＬＴＥのバンドとを、以下のように対応させている。
【０１６３】
第１帯域は、ＬＴＥのＢａｎｄ３（送信帯域：１７１０−１７８５ＭＨｚ、受信帯域：１８０５−１８８０ＭＨｚ）である。
【０１６４】
第２帯域は、ＬＴＥのＢａｎｄ３９（送受信帯域：１８８０−１９２０ＭＨｚ）である。
【０１６５】
第３帯域は、ＬＴＥのＢａｎｄ１（送信帯域：１９２０−１９８０ＭＨｚ、受信帯域：２１１０−２１７０ＭＨｚ）である。
【０１６６】
第４帯域は、Ｂａｎｄ４０（送受信帯域：２３００−２４００ＭＨｚ）である。
【０１６７】
第５帯域は、ＬＴＥのＢａｎｄ７（送信帯域：２５００−２５７０ＭＨｚ、受信帯域：２６２０−２６９０ＭＨｚ）、および、Ｂａｎｄ４１（送受信帯域：２４９６−２６９０ＭＨｚ）を含む。
【０１６８】
つまり、第４帯域の低域端の周波数は、第５帯域の低域端の周波数より低い。第６帯域の高域端の周波数は、第７帯域の高域端の周波数より低い。第４帯域の周波数は、第６帯域（第１帯域＋第２帯域）の高域端の周波数より高い。第５帯域は、第７帯域（第１帯域＋第３帯域）の高域端の周波数より高い。
【０１６９】
入出力端子１５０ａは、ＬＴＥのＢａｎｄ７の高周波信号が入出力される第５入出力端子であり、入出力端子１５０ｂは、ＬＴＥのＢａｎｄ４１の高周波信号が入出力される第５入出力端子である。
【０１７０】
スイッチ３９は、一方の端子が選択端子３１ｂに接続され、他方の端子が入出力端子１２０に接続され、選択端子３１ｂと入出力端子１２０との導通および非導通を切り替えるスイッチ素子である。
【０１７１】
スイッチ３５は、共通端子３５ａ、選択端子３５ｂおよび３５ｃを有し、共通端子３５ａと選択端子３５ｂとの導通および共通端子３５ａと選択端子３５ｃとの導通を排他的に切り替えるスイッチ素子である。
【０１７２】
高域（低域）通過フィルタ１０Ｂは、一方の端子が選択端子３０ｂに接続され、他方の端子が選択端子３１ｂおよびスイッチ３９を介して入出力端子１２０に接続されている。
【０１７３】
なお、入出力端子１１０と送受信端子１１１との間には、Ｂａｎｄ３の送信帯域を通過帯域とする送信フィルタが接続され、入出力端子１１０と送受信端子１１２との間には、Ｂａｎｄ３の受信帯域を通過帯域とする受信フィルタが接続される。
【０１７４】
また、入出力端子１２０と送受信端子１２１との間には、Ｂａｎｄ３９の送受信帯域を通過帯域とする送受信フィルタが接続される。
【０１７５】
また、入出力端子１３０と送受信端子１３１との間には、Ｂａｎｄ１の送信帯域を通過帯域とする送信フィルタが接続され、入出力端子１３０と送受信端子１３２との間には、Ｂａｎｄ１の受信帯域を通過帯域とする受信フィルタが接続される。
【０１７６】
また、入出力端子１４０と送受信端子１４１との間には、Ｂａｎｄ４０の送受信帯域を通過帯域とする送受信フィルタが接続される。
【０１７７】
また、入出力端子１５０ａと送受信端子１５１との間には、Ｂａｎｄ７の送信帯域を通過帯域とする送信フィルタが接続され、入出力端子１５０ａと送受信端子１５２との間には、Ｂａｎｄ７の受信帯域を通過帯域とする受信フィルタが接続される。
【０１７８】
また、入出力端子１５０ｂと送受信端子１５３との間には、Ｂａｎｄ４１の送受信帯域を通過帯域とする送受信フィルタが接続される。
【０１７９】
なお、第１帯域であるＢａｎｄ３と、第２帯域であるＢａｎｄ３９との周波数帯域は近接している。このため、スイッチ３２の導通および非導通の切り替えに対し、スイッチ３９の導通および非導通を排他的に切り替えることで、第１帯域であるＢａｎｄ３の高周波信号が入出力端子１１０に入出力される、または、第２帯域であるＢａｎｄ３９の高周波信号が入出力端子１２０に入出力される、の何れか一方が選択される。
【０１８０】
また、上記構成において、低域（高域）通過フィルタ１０Ａは、Ｂａｎｄ４０の送受信帯域（２３００−２４００ＭＨｚ）を通過帯域とする高域通過フィルタであり、高域（低域）通過フィルタ１０Ｂは、Ｂａｎｄ３および３９の送受信帯域（１７１０−１９２０ＭＨｚ）を通過帯域とする低域通過フィルタである。つまり、低域（高域）通過フィルタ１０Ａの通過帯域と高域（低域）通過フィルタ１０Ｂの通過帯域との間の周波数間隔（ギャップ１）は、３８０ＭＨｚである。
【０１８１】
また、上記構成において、低域（高域）通過フィルタ２０Ａは、Ｂａｎｄ７および４１の送受信帯域（２４９６−２６９０ＭＨｚＭＨｚ）を通過帯域とする高域通過フィルタであり、高域（低域）通過フィルタ２０Ｂは、Ｂａｎｄ３および１の送受信帯域（１７１０−２１７０ＭＨｚ）を通過帯域とする低域通過フィルタである。つまり、低域（高域）通過フィルタ２０Ａの通過帯域と高域（低域）通過フィルタ２０Ｂの通過帯域との間の周波数間隔（ギャップ２）は、３２６ＭＨｚである。
【０１８２】
比較例１に係るフィルタ装置５００Ａでは、変形例１に係るフィルタ装置１Ｂと比較して、ダイプレクサ５１０により分波する周波数間隔（ギャップ）が１３０ＭＨｚと狭いため、ＣＡを実行する周波数帯域の組み合わせにより、挿入損失が大きくなる。
【０１８３】
これに対して、変形例１に係るフィルタ装置１Ｂでは、比較例１に係るフィルタ装置５００Ａと比較して、周波数間隔（ギャップ１およびギャップ２）が広いダイプレクサ１０および２０のいずれかが、ＣＡを実行する周波数帯域の組み合わせにより選択されるので、挿入損失を低減できる。
【０１８４】
なお、本変形例に係るフィルタ装置１Ｂでは、スイッチ回路３１（第１スイッチ回路）は、低域通過フィルタである高域（低域）通過フィルタ１０Ｂおよび２０Ｂに接続されているが、高域通過フィルタである低域（高域）通過フィルタ１０Ａおよび２０Ａに接続されていてもよい。
【０１８５】
また、本変形例に係るフィルタ装置１Ｂでは、スイッチ３４、３５および３９により、隣接または重複する周波数帯域（バンド）のフィルタを切替えることが可能である。
【０１８６】
［１．５  変形例２に係るフィルタ装置］
図９は、実施の形態１の変形例２に係るフィルタ装置１Ｃおよびその周辺回路の回路構成図である。同図に示すように、本変形例に係るフィルタ装置１Ｃは、共通入出力端子１００と、入出力端子１１０、１２０ａ、１２０ｂ、１３０、１４０ａ、１４０ｂ、および１５０と、スイッチ回路３０および３１と、スイッチ６１および６２と、ダイプレクサ１０および２０と、を備える。同図に示されたフィルタ装置１Ｃは、実施の形態１に係るフィルタ装置１と比較して、スイッチ６１および６２が付加されていること、入出力端子１２０が入出力端子１２０ａおよび１２０ｂに代わっていること、入出力端子１４０が入出力端子１４０ａおよび１４０ｂに代わっていることが構成として異なる。以下、変形例２に係るフィルタ装置１Ｃについて、実施の形態１に係るフィルタ装置１と同じ構成については説明を省略し、異なる構成を中心に説明する。
【０１８７】
本実施例では、第１帯域〜第７帯域とＬＴＥのバンドとを、以下のように対応させている。
【０１８８】
第１帯域は、ＬＴＥのＢａｎｄ３（送信帯域：１７１０−１７８５ＭＨｚ、受信帯域：１８０５−１８８０ＭＨｚ）およびＢａｎｄ１（送信帯域：１９２０−１９８０ＭＨｚ、受信帯域：２１１０−２１７０ＭＨｚ）を含む。
【０１８９】
第２帯域は、ＬＴＥのＢａｎｄ１１（送信帯域：１４２７．９−１４４７．９ＭＨｚ、受信帯域：１４７５．９−１４９５．９ＭＨｚ）およびＢａｎｄ２１（送信帯域：１４４７．９−１４６２．９ＭＨｚ、受信帯域：１４９５．９−１５１０．９ＭＨｚ）を含む。
【０１９０】
第３帯域は、ＬＴＥのＢａｎｄ４１（送受信帯域：２４９６−２６９０ＭＨｚ）である。
【０１９１】
第４帯域は、ＬＴＥのＢａｎｄ２６（送信帯域：８１４−８４９ＭＨｚ、受信帯域：８５９−８９４ＭＨｚ）およびＢａｎｄ８（送信帯域：８８０−９１５ＭＨｚ、受信帯域：９２５−９６０ＭＨｚ）を含む。
【０１９２】
第５帯域は、ＬＴＥのＢａｎｄ４２（送受信帯域：３４００−３６００ＭＨｚ）である。
【０１９３】
つまり、第２帯域の周波数は、第１帯域の低域端の周波数より低い。また、第３帯域の周波数は、第１帯域の高域端の周波数より高い。また、第７帯域の高域端の周波数は、第６帯域の低域端の周波数より高い。また、第４帯域の周波数は、第６帯域（第１帯域＋第２帯域）の低域端の周波数より低い。また、第５帯域は、第７帯域（第１帯域＋第３帯域）の高域端の周波数より高い。つまり、本変形例２に係るフィルタ装置１Ｃでは、第１帯域が第４帯域と第５帯域との間に位置している点が異なる。
【０１９４】
入出力端子１２０ａは、ＬＴＥのＢａｎｄ１１の高周波信号が入出力される第２入出力端子であり、入出力端子１２０ｂは、ＬＴＥのＢａｎｄ２１の高周波信号が入出力される第２入出力端子である。
【０１９５】
入出力端子１４０ａは、ＬＴＥのＢａｎｄ２６の高周波信号が入出力される第４入出力端子であり、入出力端子１４０ｂは、ＬＴＥのＢａｎｄ８の高周波信号が入出力される第４入出力端子である。
【０１９６】
スイッチ６１は、共通端子６１ａ、選択端子６１ｂおよび６１ｃを有し、共通端子６１ａと選択端子６１ｂとの導通および共通端子６１ａと選択端子６１ｃとの導通を排他的に切り替えるスイッチ素子である。
【０１９７】
スイッチ６２は、共通端子６２ａ、選択端子６２ｂおよび６２ｃを有し、共通端子６２ａと選択端子６２ｂとの導通および共通端子６２ａと選択端子６２ｃとの導通を排他的に切り替えるスイッチ素子である。
【０１９８】
高域（低域）通過フィルタ１０Ｂは、一方の端子が選択端子３０ｂに接続され、他方の端子が選択端子３１ｂおよびスイッチ６２を介して入出力端子１２０ａまたは１２０ｂに接続される。
【０１９９】
低域（高域）通過フィルタ１０Ａは、一方の端子が選択端子３０ｂに接続され、他方の端子がスイッチ６１を介して入出力端子１４０ａまたは１４０ｂに接続される。
【０２００】
なお、入出力端子１１０と送受信端子１１１との間には、Ｂａｎｄ３の送信帯域を通過帯域とする送信フィルタが接続され、入出力端子１１０と送受信端子１１２との間には、Ｂａｎｄ３の受信帯域を通過帯域とする受信フィルタが接続される。また、入出力端子１１０と送受信端子１１３との間には、Ｂａｎｄ１の送信帯域を通過帯域とする送信フィルタが接続され、入出力端子１１０と送受信端子１１４との間には、Ｂａｎｄ１の受信帯域を通過帯域とする受信フィルタが接続される。
【０２０１】
また、入出力端子１２０ａと送受信端子１２１との間には、Ｂａｎｄ１１の送信帯域を通過帯域とする送信フィルタが接続され、入出力端子１２０ａと送受信端子１２２との間には、Ｂａｎｄ１１の受信帯域を通過帯域とする受信フィルタが接続される。また、入出力端子１２０ｂと送受信端子１２３との間には、Ｂａｎｄ２１の送信帯域を通過帯域とする送信フィルタが接続され、入出力端子１２０ｂと送受信端子１２４との間には、Ｂａｎｄ２１の受信帯域を通過帯域とする受信フィルタが接続される。
【０２０２】
また、入出力端子１３０と送受信端子１３１との間には、Ｂａｎｄ４１の送受信帯域を通過帯域とする送受信フィルタが接続される。
【０２０３】
また、入出力端子１４０ａと送受信端子１４１との間には、Ｂａｎｄ２６の送信帯域を通過帯域とする送信フィルタが接続され、入出力端子１４０ａと送受信端子１４２との間には、Ｂａｎｄ２６の受信帯域を通過帯域とする受信フィルタが接続される。また、入出力端子１４０ｂと送受信端子１４３との間には、Ｂａｎｄ８の送信帯域を通過帯域とする送信フィルタが接続され、入出力端子１４０ｂと送受信端子１４４との間には、Ｂａｎｄ８の受信帯域を通過帯域とする受信フィルタが接続される。
【０２０４】
また、入出力端子１５０と送受信端子１５１との間には、Ｂａｎｄ４２の送受信帯域を通過帯域とする送受信フィルタが接続される。
【０２０５】
なお、第４帯域であるＢａｎｄ２６とＢａｎｄ８との周波数帯域は、一部重複している。このため、スイッチ６１において、共通端子６１ａと選択端子６１ｂとの導通および非導通の切り替えに対し、共通端子６１ａと選択端子６１ｃとの導通および非導通を排他的に切り替えることで、第４帯域であるＢａｎｄ２６の高周波信号が入出力端子１４０ａに入出力される、または、第４帯域であるＢａｎｄ８の高周波信号が入出力端子１４０ｂに入出力される、の何れか一方が選択される。
【０２０６】
また、第２帯域であるＢａｎｄ１１とＢａｎｄ２１との周波数帯域は、一部重複している。このため、スイッチ６２において、共通端子６２ａと選択端子６２ｂとの導通および非導通の切り替えに対し、共通端子６２ａと選択端子６２ｃとの導通および非導通を排他的に切り替えることで、第２帯域であるＢａｎｄ１１の高周波信号が入出力端子１２０ａに入出力される、または、第２帯域であるＢａｎｄ２１の高周波信号が入出力端子１２０ｂに入出力される、の何れか一方が選択される。
【０２０７】
また、上記構成において、低域（高域）通過フィルタ１０Ａは、Ｂａｎｄ２６およびＢａｎｄ８の送受信帯域（８１４−９６０ＭＨｚ）を通過帯域とする低域通過フィルタであり、高域（低域）通過フィルタ１０Ｂは、Ｂａｎｄ１１、Ｂａｎｄ２１、Ｂａｎｄ３およびＢａｎｄ１の送受信帯域（１４２７．９−２１７０ＭＨｚ）を通過帯域とする高域通過フィルタである。つまり、低域（高域）通過フィルタ１０Ａの通過帯域と高域（低域）通過フィルタ１０Ｂの通過帯域との間の周波数間隔（ギャップ１）は、４６７．９ＭＨｚである。
【０２０８】
また、上記構成において、低域（高域）通過フィルタ２０Ａは、Ｂａｎｄ４２の送受信帯域（３４００−３６００ＭＨｚ）を通過帯域とする高域通過フィルタであり、高域（低域）通過フィルタ２０Ｂは、Ｂａｎｄ３、Ｂａｎｄ１および４１の送受信帯域（１７１０−２６９０ＭＨｚ）を通過帯域とする低域通過フィルタである。つまり、低域（高域）通過フィルタ２０Ａの通過帯域と高域（低域）通過フィルタ２０Ｂの通過帯域との間の周波数間隔（ギャップ２）は、７１０ＭＨｚである。
【０２０９】
比較例１に係るフィルタ装置５００Ａでは、変形例２に係るフィルタ装置１Ｃと比較して、ダイプレクサ５１０により分波する周波数間隔（ギャップ）が１３０ＭＨｚと狭いため、ＣＡを実行する周波数帯域の組み合わせにより、挿入損失が大きくなる。
【０２１０】
これに対して、変形例２に係るフィルタ装置１Ｃでは、比較例１に係るフィルタ装置５００Ａと比較して、周波数間隔（ギャップ１およびギャップ２）が広いダイプレクサ１０および２０のいずれかが、ＣＡを実行する周波数帯域の組み合わせにより選択されるので、挿入損失を低減できる。
【０２１１】
［１．６  変形例３に係るフィルタ装置］
図１０は、実施の形態１の変形例３に係るフィルタ装置１Ｄおよびその周辺回路の回路構成図である。同図に示すように、本変形例に係るフィルタ装置１Ｄは、共通入出力端子１００と、入出力端子１１０、１２０、１３０、１４０、１５０および１６０と、スイッチ回路３０、３１および７１と、ダイプレクサ１０および２０と、を備える。同図に示されたフィルタ装置１Ｄは、実施の形態１に係るフィルタ装置１と比較して、スイッチ回路７１および入出力端子１６０が付加されていることが構成として異なる。以下、変形例３に係るフィルタ装置１Ｄについて、実施の形態１に係るフィルタ装置１と同じ構成については説明を省略し、異なる構成を中心に説明する。
【０２１２】
入出力端子１１０は、第１帯域の高周波信号が入出力される第１入出力端子である。入出力端子１２０は、第２帯域の高周波信号が入出力される第２入出力端子である。入出力端子１３０は、第３帯域の高周波信号が入出力される第３入出力端子である。入出力端子１４０は、第９帯域の高周波信号が入出力される第４入出力端子である。入出力端子１５０は、第１０帯域の高周波信号が入出力される第５入出力端子である。入出力端子１６０は、第８帯域の高周波信号が入出力される第６入出力端子である。
【０２１３】
また、上記第１帯域および上記第２帯域を含む帯域を第６帯域とし、上記第１帯域および上記第３帯域を含む帯域を第７帯域とする。また、上記第８帯域および上記第９帯域を含む帯域を第４帯域とし、上記第８帯域および上記第１０帯域を含む帯域を第５帯域とする。ここで、第１帯域〜第１０帯域は、互いに周波数帯域が異なっている。
【０２１４】
スイッチ回路７１は、共通端子７１ａ（第３共通端子）、選択端子７１ｂ（第５選択端子）、選択端子７１ｃ（第６選択端子）、ならびに、スイッチ７２および７３を有する第３スイッチ回路である。スイッチ７２は、一方の端子が選択端子７１ｂに接続され、他方の端子が共通端子７１ａに接続され、共通端子７１ａと選択端子７１ｂとの導通および非導通を切り替える第９スイッチ素子である。スイッチ７３は、一方の端子が選択端子７１ｃに接続され、他方の端子が共通端子７１ａに接続され、共通端子７１ａと選択端子７１ｃとの導通および非導通を切り替える第１０スイッチ素子である。
【０２１５】
ダイプレクサ１０は、低域（高域）通過フィルタ１０Ａと、高域（低域）通過フィルタ１０Ｂと、を備える第１分波器である。
【０２１６】
高域（低域）通過フィルタ１０Ｂは、一方の端子が選択端子３０ｂに接続され、他方の端子が選択端子３１ｂおよび入出力端子１２０に接続され、第６帯域を通過帯域とする第１フィルタである。なお、高域（低域）通過フィルタ１０Ｂの他方の端子と入出力端子１２０との間に、スイッチなどの回路素子が挿入されていてもよい。
【０２１７】
低域（高域）通過フィルタ１０Ａは、一方の端子が選択端子３０ｂに接続され、選択端子７１ｂおよび入出力端子１４０に接続され、第４帯域を通過帯域とする第２フィルタである。なお、低域（高域）通過フィルタ１０Ａの他方の端子と入出力端子１４０との間に、スイッチなどの回路素子が挿入されていてもよい。
【０２１８】
上記構成により、ダイプレクサ１０は、第６帯域の高周波信号と第４帯域の高周波信号とを分波する。
【０２１９】
ダイプレクサ２０は、低域（高域）通過フィルタ２０Ａと、高域（低域）通過フィルタ２０Ｂと、を備える第２分波器である。
【０２２０】
高域（低域）通過フィルタ２０Ｂは、一方の端子が選択端子３０ｃに接続され、他方の端子が選択端子３１ｃおよび入出力端子１３０に接続され、第７帯域を通過帯域とする第３フィルタである。なお、高域（低域）通過フィルタ２０Ｂの他方の端子と入出力端子１３０との間に、スイッチなどの回路素子が挿入されていてもよい。
【０２２１】
低域（高域）通過フィルタ２０Ａは、一方の端子が選択端子３０ｃに接続され、他方の端子が選択端子７１ｃおよび入出力端子１５０に接続され、第５帯域を通過帯域とする第４フィルタである。なお、低域（高域）通過フィルタ２０Ａの他方の端子と入出力端子１５０との間に、スイッチなどの回路素子が挿入されていてもよい。
【０２２２】
上記構成により、ダイプレクサ２０は、第７帯域の高周波信号と第５帯域の高周波信号とを分波する。
【０２２３】
なお、入出力端子１６０には、第８帯域を通過帯域とするフィルタ４６が接続される。
【０２２４】
本変形例に係るフィルタ装置１Ｄの構成によれば、第１周波数帯域群のうちの第４帯域の高周波信号と、第２周波数帯域群のうちの第６帯域の高周波信号とのＣＡを実行する場合には、スイッチ回路３０の切り替えにより、ダイプレクサ１０が使用される。一方、第１周波数帯域群のうちの第５帯域の高周波信号と、第２周波数帯域群のうちの第７帯域の高周波信号とのＣＡを実行する場合には、スイッチ回路３０の切り替えにより、ダイプレクサ２０が使用される。また、第６帯域と第７帯域とに跨る第１帯域の高周波信号をＣＡの一方とする場合には、スイッチ回路３１により、高域（低域）通過フィルタ１０Ｂおよび２０Ｂのいずれを入出力端子１１０と接続するかを選択できる。また、また、第４帯域と第５帯域とに跨る第８帯域の高周波信号をＣＡの一方とする場合には、スイッチ回路７１により、低域（高域）通過フィルタ１０Ａおよび２０Ａのいずれを入出力端子１６０と接続するかを選択できる。つまり、ＣＡが実行される周波数帯域の組み合わせが変化しても、ダイプレクサ１０および２０をスイッチ回路３０、３１および７１によって切り替えることで、第１〜第５帯域における通過帯域内の挿入損失を低減することが可能となる。
【０２２５】
なお、スイッチ回路３１において、スイッチ３２および３３は、同時に導通状態とならず、個別に導通状態および非導通状態が切り替えられてもよい。また、スイッチ回路７１において、スイッチ７２および７３は、同時に導通状態とならず、個別に導通状態および非導通状態が切り替えられてもよい。
【０２２６】
これにより、スイッチ３２が導通状態となることで第６帯域の高周波信号を入出力端子１１０および１２０から出力させる場合に、スイッチ３３が非導通状態となることで、上記第６帯域の高周波信号が、入出力端子１３０およびダイプレクサ２０へ漏洩することを抑制できる。また、スイッチ３３が導通状態となることで第７帯域の高周波信号を入出力端子１１０および１３０から出力させる場合に、スイッチ３２が非導通状態となることで、上記第７帯域の高周波信号が、入出力端子１２０およびダイプレクサ１０へ漏洩することを抑制できる。また、スイッチ７２が導通状態となることで第４帯域の高周波信号を入出力端子１４０および１６０に入出力させる場合に、スイッチ７３が非導通状態となることで、上記第６帯域の高周波信号が、入出力端子１５０およびダイプレクサ２０へ漏洩することを抑制できる。また、スイッチ７３が導通状態となることで第５帯域の高周波信号を入出力端子１６０および１５０に入出力させる場合に、スイッチ７２が非導通状態となることで、上記第５帯域の高周波信号が、入出力端子１４０およびダイプレクサ２０へ漏洩することを抑制できる。
【０２２７】
（実施の形態２）
本実施の形態では、実施の形態１に係るフィルタ装置のスイッチ回路に並列腕スイッチが付加された構成について説明する。
【０２２８】
［２．１  フィルタ装置の構成］
図１１は、実施の形態２に係るフィルタ装置２の回路構成図である。同図に示すように、本実施の形態に係るフィルタ装置２は、共通入出力端子１００と、入出力端子１１０、１２０、１３０、１４０および１５０と、スイッチ回路３０および３１Ａと、ダイプレクサ１０および２０と、を備える。同図に示されたフィルタ装置２は、実施の形態１に係るフィルタ装置１と比較して、スイッチ回路３１Ａの回路構成が異なる。以下、実施の形態２に係るフィルタ装置２について、実施の形態１に係るフィルタ装置１と同じ構成については説明を省略し、異なる構成を中心に説明する。
【０２２９】
スイッチ回路３１Ａは、共通端子３１ａ（第１共通端子）、選択端子３１ｂ（第１選択端子）、選択端子３１ｃ（第２選択端子）、ならびに、スイッチ３２、３３、５１、５２および５３を有する第１スイッチ回路である。
【０２３０】
スイッチ３２は、一方の端子が選択端子３１ｂに接続され、他方の端子が共通端子３１ａに接続され、共通端子３１ａと選択端子３１ｂとの導通および非導通を切り替える第１スイッチ素子である。スイッチ３３は、一方の端子が選択端子３１ｃに接続され、他方の端子が共通端子３１ａに接続され、共通端子３１ａと選択端子３１ｃとの導通および非導通を切り替える第２スイッチ素子である。
【０２３１】
スイッチ５１は、一方の端子５１ａが共通端子３１ａに接続され、他方の端子５１ｂがグランドに接続され、共通端子３１ａとグランドとの導通および非導通を切り替える第４スイッチ素子である。
【０２３２】
スイッチ５２は、一方の端子５２ａが選択端子３１ｂに接続され、他方の端子５２ｂがグランドに接続され、選択端子３１ｂとグランドとの導通および非導通を切り替える第５スイッチ素子である。
【０２３３】
スイッチ５３は、一方の端子５３ａが選択端子３１ｃに接続され、他方の端子５３ｂがグランドに接続され、選択端子３１ｃとグランドとの導通および非導通を切り替える第６スイッチ素子である。
【０２３４】
上記構成によれば、入出力端子１１０と、入出力端子１２０およびダイプレクサ１０と、入出力端子１３０およびダイプレクサ２０と、の間での高周波信号の漏洩を低減（アイソレーションを向上）することが可能となる。
【０２３５】
以下、スイッチ回路３０および３１Ａの導通および非導通状態について、具体的に示す。
【０２３６】
ケース（１）：第１帯域の高周波信号、第２帯域の高周波信号、および第４帯域の高周波信号のＣＡを実行する場合には、共通端子３０ａと選択端子３０ｂとが導通状態（共通端子３０ａと選択端子３０ｃとが非導通状態）となり、かつ、スイッチ３２および５３が導通状態となり、かつ、スイッチ３３、５１および５２が非導通状態となる。
【０２３７】
これにより、ダイプレクサ１０と共通入出力端子１００とが接続され、共通入出力端子１００から入出力端子１１０へ第１帯域の高周波信号が伝送され、共通入出力端子１００から入出力端子１２０へ第２帯域の高周波信号が伝送され、共通入出力端子１００から入出力端子１４０へ第４帯域の高周波信号が入出力され、共通入出力端子１００から入出力端子１３０および１５０へは、高周波信号が伝送されない。さらに、スイッチ５１〜５３の上記接続状態により、入出力端子１１０と入出力端子１３０との間での高周波信号の漏れを低減（アイソレーションを向上）することができる。これにより、第１帯域の高周波信号、第２帯域の高周波信号、および、第４帯域の高周波信号のＣＡを、より低損失で実現できる。
【０２３８】
ケース（２）：第４帯域の高周波信号および第２帯域の高周波信号のみのＣＡを実行する場合には、共通端子３０ａと選択端子３０ｂとが導通状態（共通端子３０ａと選択端子３０ｃとが非導通状態）となり、かつ、スイッチ５１が導通状態となり、スイッチ３２および５２が非導通状態となる。
【０２３９】
これにより、ダイプレクサ１０と共通入出力端子１００とが接続され、共通入出力端子１００から入出力端子１２０へ第２帯域の高周波信号が伝送され、共通入出力端子１００から入出力端子１４０へ第４帯域の高周波信号が伝送され、共通入出力端子１００から入出力端子１１０、１３０および１５０には、高周波信号が伝送されない。さらに、スイッチ５１および５２の上記接続状態により、入出力端子１１０と入出力端子１２０との間での高周波信号の漏れを低減（アイソレーションを向上）することができる。これにより、第４帯域の高周波信号と第２帯域の高周波信号とのＣＡを、より低損失で実現できる。
【０２４０】
ケース（３）：第１帯域の高周波信号、第３帯域の高周波信号、および第５帯域の高周波信号のＣＡを実行する場合には、共通端子３０ａと選択端子３０ｃとが導通状態（共通端子３０ａと選択端子３０ｂとが非導通状態）となり、かつ、スイッチ３２、５１および５３が非導通状態となり、かつ、スイッチ３３および５２が導通状態となる。
【０２４１】
これにより、ダイプレクサ２０と共通入出力端子１００とが接続され、共通入出力端子１００から入出力端子１１０へ第１帯域の高周波信号が伝送され、共通入出力端子１００から入出力端子１３０へ第３帯域の高周波信号が伝送され、共通入出力端子１００から入出力端子１５０へ第５帯域の高周波信号が入出力され、共通入出力端子１００から入出力端子１２０および１４０には、高周波信号が伝送されない。さらに、スイッチ５１〜５３の上記接続状態により、入出力端子１１０と入出力端子１２０との間での高周波信号の漏れを低減（アイソレーションを向上）することができる。これにより、第１帯域の高周波信号、第３帯域の高周波信号、および第５帯域の高周波信号のＣＡを、より低損失で実現できる。
【０２４２】
ケース（４）：第５帯域の高周波信号および第３帯域の高周波信号のみのＣＡを実行する場合には、共通端子３０ａと選択端子３０ｃとが導通状態（共通端子３０ａと選択端子３０ｂとが非導通状態）となり、かつ、スイッチ５１が導通状態となり、かつ、スイッチ３３および５３が非導通状態となる。
【０２４３】
これにより、ダイプレクサ２０と共通入出力端子１００とが接続され、共通入出力端子１００から入出力端子１３０へ第３帯域の高周波信号が伝送され、共通入出力端子１００からから入出力端子１５０へ第５帯域の高周波信号が伝送され、共通入出力端子１００から入出力端子１１０、１２０および１４０には、高周波信号が伝送されない。さらに、スイッチ５１および５３の上記接続状態により、入出力端子１１０と入出力端子１３０との間での高周波信号の漏れを低減（アイソレーションを向上）することができる。これにより、第５帯域の高周波信号と第３帯域の高周波信号とのＣＡを、より低損失で実現できる。
【０２４４】
［２．２  フィルタ装置の構成］
図１２は、実施の形態２の変形例に係るフィルタ装置３の回路構成図である。同図に示すように、本変形例に係るフィルタ装置３は、共通入出力端子１００と、入出力端子１１０、１２０、１３０、１４０および１５０と、スイッチ回路３０Ａおよび３１と、ダイプレクサ１０および２０と、を備える。同図に示されたフィルタ装置３は、実施の形態１に係るフィルタ装置１と比較して、スイッチ回路３０Ａの回路構成が異なる。以下、実施の形態２の変形例に係るフィルタ装置３について、実施の形態１に係るフィルタ装置１と同じ構成については説明を省略し、異なる構成を中心に説明する。
【０２４５】
スイッチ回路３０Ａは、共通端子３０ａ（第２共通端子）、選択端子３０ｂ（第３選択端子）、選択端子３０ｃ（第４選択端子）、ならびに、スイッチ５４および５５を有する第２スイッチ回路である。スイッチ回路３０Ａは、共通端子３０ａと選択端子３０ｂとの導通および非導通と、共通端子３０ａと選択端子３０ｃとの導通および非導通とを、排他的に切り替える第１スイッチ素子である。
【０２４６】
スイッチ５４は、一方の端子５４ａが選択端子３０ｂに接続され、他方の端子５４ｂがグランドに接続され、選択端子３０ｂとグランドとの導通および非導通を切り替える第７スイッチ素子である。スイッチ５４の導通および非導通は、共通端子３０ａと選択端子３０ｂとの導通および非導通と排他的に切り替えられる。
【０２４７】
スイッチ５５は、一方の端子５５ａが選択端子３０ｃに接続され、他方の端子５５ｂがグランドに接続され、選択端子３０ｃとグランドとの導通および非導通を切り替える第８スイッチ素子である。スイッチ５５の導通および非導通は、共通端子３０ａと選択端子３０ｃとの導通および非導通と排他的に切り替えられる。
【０２４８】
上記構成によれば、共通入出力端子１００と、ダイプレクサ１０と、ダイプレクサ２０との間での高周波信号の漏洩を低減（アイソレーションを向上）することが可能となる。
【０２４９】
以下、スイッチ回路３０Ａの導通および非導通状態について、具体的に示す。
【０２５０】
ケース（１）：第４帯域の高周波信号と第６帯域の高周波信号とを同時に伝送させる場合、および、第４帯域の高周波信号と第２帯域の高周波信号とを同時に伝送させる場合には、共通端子３０ａと選択端子３０ｂとが導通状態となり、かつ、スイッチ５４が非導通状態となり、かつ、スイッチ５５が導通状態となる。
【０２５１】
ケース（２）：第５帯域の高周波信号と第７帯域の高周波信号とを同時に伝送させる場合、および、第５帯域の高周波信号と第３帯域の高周波信号とを同時に伝送させる場合には、共通端子３０ａと選択端子３０ｃとが導通状態となり、かつ、スイッチ５４が導通状態となり、かつ、スイッチ５５が非導通状態となる。
【０２５２】
これにより、入出力端子１４０と入出力端子１５０との間での高周波信号の漏れを低減（アイソレーションを向上）することが可能となる。 
【０２５３】
以下、本実施の形態およびその変形例に係るフィルタ装置が、実施例１に係るフィルタ装置１Ａと比較して、各入出力端子間での高周波信号の漏れを低減（アイソレーションを向上）し、ＣＡ時の低損失性を改善できることを説明する。
【０２５４】
［２．３  スイッチ回路のオフ容量とフィルタ装置の通過特性との関係］
図１３は、実施例１に係るフィルタ装置１Ａにおけるスイッチ３２、３３および３４の非導通時の容量成分（オフ容量）と挿入損失との関係を表すグラフである。同図には、Ｂａｎｄ３、Ｂａｎｄ４０およびＢａｎｄ７の３ＣＡを実行した場合における、スイッチ３２〜３４のオフ容量と各バンドの信号経路の挿入損失との関係が示されている。
【０２５５】
なお、実施例１に係るフィルタ装置１Ａにて、Ｂａｎｄ３、Ｂａｎｄ４０およびＢａｎｄ７の３ＣＡを実行すべく、スイッチ３２および共通端子３０ａ−選択端子３０ｂ間が導通状態となり、スイッチ３３、３４および共通端子３０ａ−選択端子３０ｃ間が非導通状態となっている。なお、スイッチ３５の接続状態は、いずれであってもよい。
【０２５６】
同図に示すように、スイッチ３２〜３４のオフ容量が大きくなるにつれ、各バンドの信号経路の挿入損失が増加している。
【０２５７】
特に、実施例１に係るフィルタ装置１Ａの構成では、第３帯域として適用されているＢａｎｄ４１とＢａｎｄ７との周波数帯域が一部重複しているため、Ｂａｎｄ７の高周波信号が、Ｂａｎｄ４１の信号経路（選択端子３１ｃ−スイッチ３４−入出力端子１３０）に漏洩する。これにより、共通入出力端子１００−スイッチ回路３０−ダイプレクサ１０−スイッチ３２−入出力端子１１０というＢａｎｄ７の信号経路の挿入損失が、スイッチ３３および３４のオフ容量の増大とともに悪化する。
【０２５８】
図１４Ａは、入出力端子間に配置されたスイッチＳＷ１および入出力端子間の経路とグランドとの間に配置されたスイッチＳＷ２で構成されたスイッチ回路のオフ容量と挿入損失との関係を表すグラフである。また、図１４Ｂは、入出力端子間に配置されたスイッチＳＷ１のみで構成されたスイッチ回路のオフ容量と挿入損失との関係を表すグラフである。
【０２５９】
図１４Ｂに示すように、入出力端子間に直列に配置されたスイッチＳＷ１のみで構成されたスイッチ回路では、スイッチＳＷ１のオフ容量が大きくなるほど、１．６−２．８ＧＨｚの周波数帯において、アイソレーションが悪化（挿入損失が減少）している。
【０２６０】
これに対して、図１４Ａに示すように、入出力端子間に直列に配置されたスイッチＳＷ１および入出力端子間の経路とグランドとの間に配置されたスイッチＳＷ２で構成されたスイッチ回路においても、スイッチＳＷ１のオフ容量が大きくなるほど、１．６−２．８ＧＨｚの周波数帯において、アイソレーションが悪化（挿入損失が減少）している。しかしながら、スイッチＳＷ１の非導通状態に対してスイッチＳＷ２を排他的に導通状態とすることで、入出力端子間に直列に配置されたスイッチＳＷ１のみで構成されたスイッチ回路と比較して、略３０ｄＢ程度、アイソレーションが向上（挿入損失が増加）している。
【０２６１】
これにより、入出力端子間の経路のアイソレーションが向上するので、当該経路に漏洩する他の周波数帯域の高周波信号を抑制でき、当該他の周波数帯域の高周波信号の伝送損失を低減できる。
【０２６２】
［２．４  実施例２に係るフィルタ装置］
図１５は、実施例２に係るフィルタ装置２Ａおよびその周辺回路の回路構成図である。同図に示すように、本実施例に係るフィルタ装置２Ａは、共通入出力端子１００と、入出力端子１１０、１２０、１３０、１４０、１５０ａおよび１５０ｂと、スイッチ回路３０および３１Ａと、スイッチ３４、３５および５６と、ダイプレクサ１０および２０と、を備える。同図に示されたフィルタ装置２Ａは、実施の形態２に係るフィルタ装置２と比較して、スイッチ３４、３５および５６が付加されていること、入出力端子１５０が入出力端子１５０ａおよび１５０ｂに代わっていること、が構成として異なる。以下、実施例２に係るフィルタ装置２Ａについて、実施の形態２に係るフィルタ装置２と同じ構成については説明を省略し、異なる構成を中心に説明する。
【０２６３】
なお、本実施例では、第１帯域〜第７帯域とＬＴＥのバンドとを、以下のように対応させている。
【０２６４】
第１帯域は、ＬＴＥのＢａｎｄ７（送信帯域：２５００−２５７０ＭＨｚ、受信帯域：２６２０−２６９０ＭＨｚ）である。
【０２６５】
第２帯域は、ＬＴＥのＢａｎｄ４０（送受信帯域：２３００−２４００ＭＨｚ）である。
【０２６６】
第３帯域は、ＬＴＥのＢａｎｄ４１（送受信帯域：２４９６−２６９０ＭＨｚ）である。
【０２６７】
第４帯域は、ＬＴＥのＢａｎｄ３（送信帯域：１７１０−１７８５ＭＨｚ、受信帯域：１８０５−１８８０ＭＨｚ）である。
【０２６８】
第５帯域は、ＬＴＥのＢａｎｄ１（送信帯域：１９２０−１９８０ＭＨｚ、受信帯域：２１１０−２１７０ＭＨｚ）、および、Ｂａｎｄ３９（送受信帯域：１８８０−１９２０ＭＨｚ）を含む。
【０２６９】
つまり、第２帯域の周波数は、前記第１帯域の低域端の周波数より低い。第３帯域の周波数は、第１帯域の低域端の周波数より低い周波数を含む。第４帯域の周波数は、第６帯域（第１帯域＋第２帯域）の低域端の周波数より低い。第５帯域は、第７帯域（第１帯域＋第３帯域）の低域端の周波数より低い。
【０２７０】
入出力端子１５０ａは、ＬＴＥのＢａｎｄ１の高周波信号が入出力される第５入出力端子であり、入出力端子１５０ｂは、ＬＴＥのＢａｎｄ３９の高周波信号が入出力される第５入出力端子である。
【０２７１】
スイッチ３４は、一方の端子が選択端子３１ｃに接続され、他方の端子が入出力端子１３０に接続され、選択端子３１ｃと入出力端子１３０との導通および非導通を切り替えるスイッチ素子である。
【０２７２】
スイッチ３５は、共通端子３５ａ、選択端子３５ｂおよび３５ｃを有し、共通端子３５ａと選択端子３５ｂとの導通および共通端子３５ａと選択端子３５ｃとの導通を排他的に切り替えるスイッチ素子である。
【０２７３】
スイッチ５６は、一方の端子５６ａがスイッチ３４の他方の端子に接続され、他方の端子５６ｂがグランドに接続され、スイッチ３４の他方の端子とグランドとの導通および非導通を切り替えるスイッチ素子である。スイッチ５６の導通および非導通は、スイッチ３４の導通および非導通と排他的に切り替えられる。
【０２７４】
なお、入出力端子１１０と送受信端子１１１との間には、Ｂａｎｄ７の送信帯域を通過帯域とする送信フィルタが接続され、入出力端子１１０と送受信端子１１２との間には、Ｂａｎｄ７の受信帯域を通過帯域とする受信フィルタが接続される。
【０２７５】
また、入出力端子１２０と送受信端子１２１との間には、Ｂａｎｄ４０の送受信帯域を通過帯域とする送受信フィルタが接続される。
【０２７６】
また、入出力端子１３０と送受信端子１３１との間には、Ｂａｎｄ４１の送受信帯域を通過帯域とする送受信フィルタが接続される。
【０２７７】
また、入出力端子１４０と送受信端子１４１との間には、Ｂａｎｄ３の送信帯域を通過帯域とする送信フィルタが接続され、入出力端子１４０と送受信端子１４２との間には、Ｂａｎｄ３の受信帯域を通過帯域とする受信フィルタが接続される。
【０２７８】
また、入出力端子１５０ａと送受信端子１５１との間には、Ｂａｎｄ１の送信帯域を通過帯域とする送信フィルタが接続され、入出力端子１５０ａと送受信端子１５２との間には、Ｂａｎｄ１の受信帯域を通過帯域とする受信フィルタが接続される。
【０２７９】
また、入出力端子１５０ｂと送受信端子１５３との間には、Ｂａｎｄ３９の送受信帯域を通過帯域とする送受信フィルタが接続される。
【０２８０】
なお、第１帯域であるＢａｎｄ７と、第３帯域であるＢａｎｄ４１との周波数帯域は一部重複している。このため、スイッチ３３の導通および非導通の切り替えに対し、スイッチ３４の導通および非導通を排他的に切り替えることで、第１帯域であるＢａｎｄ７の高周波信号が入出力端子１１０に入出力される、または、第３帯域であるＢａｎｄ４１の高周波信号が入出力端子１３０に入出力される、の何れか一方が選択される。
【０２８１】
また、第５帯域であるＢａｎｄ１とＢａｎｄ３９とは近接している。このため、スイッチ３５において、共通端子３５ａと選択端子３５ｂとの導通および非導通の切り替えに対し、共通端子３５ａと選択端子３５ｃとの導通および非導通を排他的に切り替えることで、第５帯域であるＢａｎｄ１の高周波信号が入出力端子１５０ａに入出力される、または、第５帯域であるＢａｎｄ３９の高周波信号が入出力端子１５０ｂに入出力される、の何れか一方が選択される。
【０２８２】
上記構成において、例えば、以下のようなＣＡが実行される。
【０２８３】
（ａ）Ｂａｎｄ１＋Ｂａｎｄ７
（ｂ）Ｂａｎｄ１＋Ｂａｎｄ４１
（ｃ）Ｂａｎｄ３＋Ｂａｎｄ７
（ｄ）Ｂａｎｄ３＋Ｂａｎｄ４０
（ｅ）Ｂａｎｄ３＋Ｂａｎｄ３８
（ｆ）Ｂａｎｄ３９＋Ｂａｎｄ４１
（ｇ）Ｂａｎｄ３＋Ｂａｎｄ４０＋Ｂａｎｄ７
【０２８４】
［２．５  実施例２および実施例１に係るフィルタ装置の通過特性］
図１６は、Ｂａｎｄ３（送信帯域：１７１０−１７８５ＭＨｚ、受信帯域：１８０５−１８８０ＭＨｚ）とＢａｎｄ４０（送受信帯域：２３００−２４００ＭＨｚ）とＢａｎｄ７（送信帯域：２５００−２５７０ＭＨｚ、受信帯域：２６２０−２６９０ＭＨｚ）とのＣＡにおける実施例２および実施例１に係るフィルタ装置の通過特性を比較したグラフである。
【０２８５】
より具体的には、図１６の（ａ）には、実施例２における共通入出力端子１００−送受信端子１４１間の通過特性と、実施例１における共通入出力端子１００−送受信端子１４１間の通過特性とが示され（以上左側グラフ）、また、それらの通過帯域付近が拡大された特性（以上右側グラフ）が示されている。
【０２８６】
また、図１６の（ｂ）には、実施例２における共通入出力端子１００−送受信端子１４２間の通過特性と、実施例１における共通入出力端子１００−送受信端子１４２間の通過特性とが示され（以上左側グラフ）、また、それらの通過帯域付近が拡大された特性（以上右側グラフ）が示されている。
【０２８７】
また、図１６の（ｃ）には、実施例２における共通入出力端子１００−送受信端子１２１間の通過特性と、実施例１における共通入出力端子１００−送受信端子１２１間の通過特性とが示され（以上左側グラフ）、また、それらの通過帯域付近が拡大された特性（以上右側グラフ）が示されている。
【０２８８】
また、図１６の（ｄ）には、実施例２における共通入出力端子１００−送受信端子１１１間の通過特性と、実施例１における共通入出力端子１００−送受信端子１１１間の通過特性とが示され（以上左側グラフ）、また、それらの通過帯域付近が拡大された特性（以上右側グラフ）が示されている。
【０２８９】
また、図１６の（ｅ）には、実施例２における共通入出力端子１００−送受信端子１１２間の通過特性と、実施例１における共通入出力端子１００−送受信端子１１２間の通過特性とが示され（以上左側グラフ）、また、それらの通過帯域付近が拡大された特性（以上右側グラフ）が示されている。
【０２９０】
Ｂａｎｄ３、Ｂａｎｄ４０およびＢａｎｄ７の３ＣＡを実行するにあたり、実施例２に係るフィルタ装置２Ａでは、スイッチ３２、５３、５６および共通端子３０ａ−選択端子３０ｂ間が導通状態となり、スイッチ３３、３４、５１、５２および共通端子３０ａ−選択端子３０ｃ間が非導通状態となっている。なお、共通端子３５ａ−選択端子３５ｂ間および共通端子３５ａ−選択端子３５ｃ間の接続状態はいずれであってもよい。
【０２９１】
また、実施例１に係るフィルタ装置１Ａでは、スイッチ３２および共通端子３０ａ−選択端子３０ｂ間が導通状態となり、スイッチ３３、３４および共通端子３０ａ−選択端子３０ｃ間が非導通状態となっている。なお、共通端子３５ａ−選択端子３５ｂ間および共通端子３５ａ−選択端子３５ｃ間の接続状態は、いずれであってもよい。
【０２９２】
実施例２および実施例１における通過特性を比較すると、図１６の（ｃ）に示すように、フィルタ装置１ＡとＢａｎｄ４０の送受信フィルタとが接続された経路の挿入損失よりも、フィルタ装置２ＡとＢａｎｄ４０の送受信フィルタとが接続された経路の挿入損失のほうが低減されている。また、図１６の（ｄ）および（ｅ）に示すように、フィルタ装置１ＡとＢａｎｄ７の送信フィルタまたは受信フィルタとが接続された経路の挿入損失よりも、フィルタ装置２ＡとＢａｎｄ７の送信フィルタまたは受信フィルタとが接続された経路の挿入損失のほうが低減されている。これは、実施例２に係るフィルタ装置２Ａにおいて、スイッチ３３の非導通状態に対してスイッチ５３を導通状態とし、スイッチ３４の非導通状態に対してスイッチ５６を導通状態とすることで、Ｂａｎｄ４０、Ｂａｎｄ７、およびＢａｎｄ４１の各信号経路間のアイソレーションが向上していることによるものである。
【０２９３】
［２．６  実施例３に係るフィルタ装置］
図１７は、実施例３に係るフィルタ装置３Ａおよびその周辺回路の回路構成図である。同図に示すように、本実施例に係るフィルタ装置３Ａは、共通入出力端子１００と、入出力端子１１０、１２０、１３０、１４０、１５０ａおよび１５０ｂと、スイッチ回路３０Ａおよび３１Ａと、スイッチ３４、３５および５６と、ダイプレクサ１０および２０と、を備える。同図に示されたフィルタ装置３Ａは、実施例２に係るフィルタ装置２Ａと比較して、スイッチ３０Ａの構成が異なる。以下、実施例３に係るフィルタ装置３Ａについて、実施例２に係るフィルタ装置２Ａと同じ構成については説明を省略し、異なる構成を中心に説明する。
【０２９４】
スイッチ回路３０Ａは、共通端子３０ａ（第２共通端子）、選択端子３０ｂ（第３選択端子）、選択端子３０ｃ（第４選択端子）、ならびに、スイッチ５４および５５を有する第２スイッチ回路である。スイッチ回路３０Ａは、共通端子３０ａと選択端子３０ｂとの導通および非導通と、共通端子３０ａと選択端子３０ｃとの導通および非導通とを、排他的に切り替える第１スイッチ素子である。
【０２９５】
スイッチ５４は、一方の端子５４ａが選択端子３０ｂに接続され、他方の端子５４ｂがグランドに接続され、選択端子３０ｂとグランドとの導通および非導通を切り替える第７スイッチ素子である。スイッチ５４の導通および非導通は、共通端子３０ａと選択端子３０ｂとの導通および非導通と排他的に切り替えられる。
【０２９６】
スイッチ５５は、一方の端子５５ａが選択端子３０ｃに接続され、他方の端子５５ｂがグランドに接続され、選択端子３０ｃとグランドとの導通および非導通を切り替える第８スイッチ素子である。スイッチ５５の導通および非導通は、共通端子３０ａと選択端子３０ｃとの導通および非導通と排他的に切り替えられる。
【０２９７】
上記構成において、例えば、以下のようなＣＡが実行される。
【０２９８】
（ａ）Ｂａｎｄ１＋Ｂａｎｄ７
（ｂ）Ｂａｎｄ１＋Ｂａｎｄ４１
（ｃ）Ｂａｎｄ３＋Ｂａｎｄ７
（ｄ）Ｂａｎｄ３＋Ｂａｎｄ４０
（ｅ）Ｂａｎｄ３＋Ｂａｎｄ３８
（ｆ）Ｂａｎｄ３９＋Ｂａｎｄ４１
（ｇ）Ｂａｎｄ３＋Ｂａｎｄ４０＋Ｂａｎｄ７
【０２９９】
［２．７  実施例３および実施例２に係るフィルタ装置の通過特性］
図１８は、Ｂａｎｄ３（送信帯域：１７１０−１７８５ＭＨｚ、受信帯域：１８０５−１８８０ＭＨｚ）とＢａｎｄ４０（送受信帯域：２３００−２４００ＭＨｚ）とＢａｎｄ７（送信帯域：２５００−２５７０ＭＨｚ、受信帯域：２６２０−２６９０ＭＨｚ）とのＣＡにおける実施例３および実施例２に係るフィルタ装置の通過特性を比較したグラフである。
【０３００】
より具体的には、図１８の（ａ）には、実施例３における共通入出力端子１００−送受信端子１４１間の通過特性と、実施例２における共通入出力端子１００−送受信端子１４１間の通過特性とが示され（以上左側グラフ）、また、それらの通過帯域付近が拡大された特性（以上右側グラフ）が示されている。
【０３０１】
また、図１８の（ｂ）には、実施例３における共通入出力端子１００−送受信端子１４２間の通過特性と、実施例２における共通入出力端子１００−送受信端子１４２間の通過特性とが示され（以上左側グラフ）、また、それらの通過帯域付近が拡大された特性（以上右側グラフ）が示されている。
【０３０２】
また、図１８の（ｃ）には、実施例３における共通入出力端子１００−送受信端子１２１間の通過特性と、実施例２における共通入出力端子１００−送受信端子１２１間の通過特性とが示され（以上左側グラフ）、また、それらの通過帯域付近が拡大された特性（以上右側グラフ）が示されている。
【０３０３】
また、図１８の（ｄ）には、実施例３における共通入出力端子１００−送受信端子１１１間の通過特性と、実施例２における共通入出力端子１００−送受信端子１１１間の通過特性とが示され（以上左側グラフ）、また、それらの通過帯域付近が拡大された特性（以上右側グラフ）が示されている。
【０３０４】
また、図１８の（ｅ）には、実施例３における共通入出力端子１００−送受信端子１１２間の通過特性と、実施例２における共通入出力端子１００−送受信端子１１２間の通過特性とが示され（以上左側グラフ）、また、それらの通過帯域付近が拡大された特性（以上右側グラフ）が示されている。
【０３０５】
Ｂａｎｄ３、Ｂａｎｄ４０およびＢａｎｄ７の３ＣＡを実行するにあたり、実施例３に係るフィルタ装置３Ａでは、スイッチ３２、５３、５５、５６および共通端子３０ａ−選択端子３０ｂ間が導通状態となり、スイッチ３３、３４、５１、５２、５４および共通端子３０ａ−選択端子３０ｃ間が非導通状態となっている。なお、共通端子３５ａ−選択端子３５ｂ間および共通端子３５ａ−選択端子３５ｃ間の接続状態はいずれであってもよい。
【０３０６】
また、実施例２に係るフィルタ装置２Ａでは、スイッチ３２、５３、５６および共通端子３０ａ−選択端子３０ｂ間が導通状態となり、スイッチ３３、３４、５１、５２および共通端子３０ａ−選択端子３０ｃ間が非導通状態となっている。なお、共通端子３５ａ−選択端子３５ｂ間および共通端子３５ａ−選択端子３５ｃ間の接続状態はいずれであってもよい。
【０３０７】
実施例３および実施例２における通過特性を比較すると、図１８の（ｂ）に示すように、フィルタ装置２ＡとＢａｎｄ３の送信フィルタまたは受信フィルタとが接続された経路の挿入損失よりも、フィルタ装置３ＡとＢａｎｄ３の送信フィルタまたは受信フィルタとが接続された経路の挿入損失のほうが低減されている。また、図１８の（ｃ）に示すように、フィルタ装置２ＡとＢａｎｄ４０の送受信フィルタとが接続された経路の挿入損失よりも、フィルタ装置３ＡとＢａｎｄ４０の送受信フィルタとが接続された経路の挿入損失のほうが低減されている。また、図１８の（ｄ）および（ｅ）に示すように、フィルタ装置２ＡとＢａｎｄ７の送信フィルタまたは受信フィルタとが接続された経路の挿入損失よりも、フィルタ装置３ＡとＢａｎｄ７の送信フィルタまたは受信フィルタとが接続された経路の挿入損失のほうが低減されている。これは、実施例３に係るフィルタ装置３Ａにおいて、共通端子３０ａ−選択端子３０ｃ間の非導通状態に対してスイッチ５５を導通状態とすることで、Ｂａｎｄ４０、Ｂａｎｄ７、およびＢａｎｄ４１の各信号経路間のアイソレーションが向上していることによるものである。
【０３０８】
（実施の形態３）
実施の形態１および２で説明したフィルタ装置は、使用バンド数が多いシステムに対応する高周波フロントエンド回路に適用することが可能である。そこで、本実施の形態では、このような高周波フロントエンド回路および通信装置について説明する。
【０３０９】
図１９は、実施の形態３に係る通信装置１００の構成図である。同図に示すように、通信装置１００は、高周波フロントエンド回路８と、アンテナ素子７と、ＲＦ信号処理回路（ＲＦＩＣ）９Ａと、ベースバンド信号処理回路（ＢＢＩＣ）９Ｂと、を備える。
【０３１０】
高周波フロントエンド回路８は、フィルタ装置１Ｅと、Ｂａｎｄ３（第４帯域）用の送信フィルタおよび受信フィルタと、Ｂａｎｄ４０（第２帯域）用の送受信フィルタと、Ｂａｎｄ３８（第２帯域）用の送受信フィルタと、Ｂａｎｄ７（第１帯域）用の送信フィルタおよび受信フィルタと、Ｂａｎｄ４１（第３帯域）用の送受信フィルタと、Ｂａｎｄ１（第５帯域）用の送信フィルタおよび受信フィルタと、Ｂａｎｄ３９（第５帯域）用の送受信フィルタと、スイッチ８３〜９０と、送信増幅器９１および９３と、受信増幅器９２および９４と、を備える。
【０３１１】
フィルタ装置１Ｅは、実施の形態１に係るフィルタ装置１に、スイッチ８１および８３が付加されている。
【０３１２】
スイッチ８１は、共通端子が入出力端子１２０に接続され、２つの選択端子が、それぞれ、Ｂａｎｄ４０用の送受信フィルタの一方の端子およびＢａｎｄ３８用の送受信フィルタの一方の端子に接続され、Ｂａｎｄ４０用の送受信フィルタおよびＢａｎｄ３８用の送受信フィルタのいずれかを入出力端子１２０に接続するスイッチ回路である。
【０３１３】
スイッチ８２は、共通端子が入出力端子１５０に接続され、２つの選択端子が、それぞれ、Ｂａｎｄ１用の送信フィルタ／受信フィルタの一方の端子およびＢａｎｄ３９用の送受信フィルタの一方の端子に接続され、Ｂａｎｄ１用の送信フィルタ／受信フィルタおよびＢａｎｄ３８用の送受信フィルタのいずれかを入出力端子１５０に接続するスイッチ回路である。
【０３１４】
スイッチ８３は、共通端子がＢａｎｄ４０用の送受信フィルタの他方の端子に接続され、２つの選択端子が、それぞれ、スイッチ８７の第１の選択端子およびスイッチ８８の第１の選択端子に接続され、Ｂａｎｄ４０用の送受信フィルタを送信経路および受信経路のいずれかに接続するスイッチ回路である。
【０３１５】
スイッチ８４は、共通端子がＢａｎｄ３８用の送受信フィルタの他方の端子に接続され、２つの選択端子が、それぞれ、スイッチ８７の第２の選択端子およびスイッチ８８の第２の選択端子に接続され、Ｂａｎｄ３８用の送受信フィルタを送信経路および受信経路のいずれかに接続するスイッチ回路である。
【０３１６】
スイッチ８５は、共通端子がＢａｎｄ４１用の送受信フィルタの他方の端子に接続され、２つの選択端子が、それぞれ、スイッチ８７の第４の選択端子およびスイッチ８８の第４の選択端子に接続され、Ｂａｎｄ４１用の送受信フィルタを送信経路および受信経路のいずれかに接続するスイッチ回路である。
【０３１７】
スイッチ８６は、共通端子がＢａｎｄ３９用の送受信フィルタの他方の端子に接続され、２つの選択端子が、それぞれ、スイッチ８９の第３の選択端子およびスイッチ９０の第３の選択端子に接続され、Ｂａｎｄ３９用の送受信フィルタを送信経路および受信経路のいずれかに接続するスイッチ回路である。
【０３１８】
スイッチ８７は、共通端子、第１〜第４の選択端子を有し、共通端子が送信増幅器９１の出力端子に接続され、第３の選択端子がＢａｎｄ７用の送信フィルタの他方の端子に接続され、Ｂａｎｄ４０用の送受信フィルタ、Ｂａｎｄ３８用の送受信フィルタ、Ｂａｎｄ７用の送信フィルタ、およびＢａｎｄ４１用の送受信フィルタのいずれかと送信増幅器９１とを接続するスイッチ回路である。
【０３１９】
スイッチ８８は、共通端子、第１〜第４の選択端子を有し、共通端子が受信増幅器９２の出力端子に接続され、第３の選択端子がＢａｎｄ７用の受信フィルタの他方の端子に接続され、Ｂａｎｄ４０用の送受信フィルタ、Ｂａｎｄ３８用の送受信フィルタ、Ｂａｎｄ７用の受信フィルタ、およびＢａｎｄ４１用の送受信フィルタのいずれかと受信増幅器９２とを接続するスイッチ回路である。
【０３２０】
スイッチ８９は、共通端子、第１〜第３の選択端子を有し、共通端子が送信増幅器９３の出力端子に接続され、第１の選択端子がＢａｎｄ３用の送信フィルタの他方の端子に接続され、第２の選択端子がＢａｎｄ１用の送信フィルタの他方の端子に接続され、Ｂａｎｄ３用の送信フィルタ、Ｂａｎｄ１用の送信フィルタ、およびＢａｎｄ３９用の送受信フィルタのいずれかと送信増幅器９３とを接続するスイッチ回路である。
【０３２１】
スイッチ９０は、共通端子、第１〜第３の選択端子を有し、共通端子が受信増幅器９４の出力端子に接続され、第１の選択端子がＢａｎｄ３用の受信フィルタの他方の端子に接続され、第２の選択端子がＢａｎｄ１用の受信フィルタの他方の端子に接続され、Ｂａｎｄ３用の受信フィルタ、Ｂａｎｄ１用の受信フィルタ、およびＢａｎｄ３９用の送受信フィルタのいずれかと受信増幅器９４とを接続するスイッチ回路である。
【０３２２】
送信増幅器９１は、入力端子がＲＦＩＣ９Ａに接続され、出力端子がスイッチ８７の共通端子に接続され、Ｂａｎｄ４０、Ｂａｎｄ３８、Ｂａｎｄ７、およびＢａｎｄ４１の高周波送信信号を電力増幅するパワーアンプである。
【０３２３】
受信増幅器９２は、出力端子がＲＦＩＣ９Ａに接続され、入力端子がスイッチ８８の共通端子に接続され、Ｂａｎｄ４０、Ｂａｎｄ３８、Ｂａｎｄ７、およびＢａｎｄ４１の高周波受信信号を電力増幅するローノイズアンプである。
【０３２４】
送信増幅器９３は、入力端子がＲＦＩＣ９Ａに接続され、出力端子がスイッチ８９の共通端子に接続され、Ｂａｎｄ３、Ｂａｎｄ１、およびＢａｎｄ３９の高周波送信信号を電力増幅するパワーアンプである。
【０３２５】
受信増幅器９４は、出力端子がＲＦＩＣ９Ａに接続され、入力端子がスイッチ９０の共通端子に接続され、Ｂａｎｄ３、Ｂａｎｄ１、およびＢａｎｄ３９の高周波受信信号を電力増幅するローノイズアンプである。
【０３２６】
ＲＦＩＣ９Ａは、アンテナ素子７で送受信される高周波信号を処理する回路である。具体的には、ＲＦＩＣ９Ａは、アンテナ素子７から受信側信号経路を介して入力された高周波信号（ここでは高周波受信信号）を、ダウンコンバートなどにより信号処理し、当該信号処理して生成された受信信号をＢＢＩＣ９Ｂへ出力する。また、ＲＦＩＣ９Ａは、ＢＢＩＣ９Ｂから入力された送信信号をアップコンバートなどにより信号処理し、当該信号処理して生成された高周波信号（ここでは高周波送信信号）を送信側信号経路に出力する。
【０３２７】
なお、本実施の形態では、ＲＦＩＣ９Ａは、使用されるバンドに基づいて、高周波フロントエンド回路８が有する各スイッチの接続を制御する制御部としての機能も有する。具体的には、ＲＦＩＣ９Ａは、制御信号（図示せず）によって、高周波フロントエンド回路８が有するスイッチの接続を切り替える。なお、制御部は、ＲＦＩＣ９Ａの外部に設けられていてもよく、例えば、高周波フロントエンド回路８が有する各スイッチとともにスイッチＩＣを構成していてもよく、またはＢＢＩＣ９Ｂに設けられていてもよい。
【０３２８】
このように構成された通信装置１００は、例えば、以下の（ａ）〜（ｇ）のようなバンドの組み合わせでＣＡを実行することが可能である。
【０３２９】
（ａ）Ｂａｎｄ１＋Ｂａｎｄ７
（ｂ）Ｂａｎｄ１＋Ｂａｎｄ４１
（ｃ）Ｂａｎｄ３＋Ｂａｎｄ７
（ｄ）Ｂａｎｄ３＋Ｂａｎｄ４０
（ｅ）Ｂａｎｄ３＋Ｂａｎｄ３８
（ｆ）Ｂａｎｄ３９＋Ｂａｎｄ４１
（ｇ）Ｂａｎｄ３＋Ｂａｎｄ４０＋Ｂａｎｄ７
【０３３０】
以上のように構成された高周波フロントエンド回路８および通信装置１００によれば、２以上の異なる周波数帯域（バンド）の高周波信号を同時に低損失で伝送することが可能となる。
【０３３１】
（その他の実施の形態）
以上、本発明に係るフィルタ装置、高周波フロントエンド回路および通信装置について、実施の形態、実施例および変形例を挙げて説明したが、本発明は、上記実施の形態、実施例および変形例に限定されるものではない。上記実施の形態、実施例および変形例における任意の構成要素を組み合わせて実現される別の実施の形態や、上記実施の形態に対して本発明の主旨を逸脱しない範囲で当業者が思いつく各種変形を施して得られる変形例や、本発明に係るフィルタ装置、高周波フロントエンド回路および通信装置を内蔵した各種機器も本発明に含まれる。
【０３３２】
例えば、実施の形態１〜３において、第１〜第５帯域をＬＴＥのバンドに適用した例を示したが、第１〜第５帯域は、図２Ａ、図２Ｂ、図２Ｃに示されたような周波数関係にあればよく、実施の形態１〜３に開示されたバンド適用例に限定されない。
【０３３３】
また、上記実施例および変形例では、送信および受信の双方を実行するフィルタ装置を例示したが、本発明に係るフィルタ装置は、受信のみを実行するフィルタ装置に適用されてもよく、また、送信のみを実行するフィルタ装置に適用されてもよい。
【０３３４】
また、上記実施の形態１〜３におけるスイッチ回路およびスイッチは、例えば、ＧａＡｓもしくはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）からなるＦＥＴ（Ｆｉｅｌｄ  Ｅｆｆｅｃｔ  Ｔｒａｎｓｉｓｔｏｒ）スイッチ、または、ダイオードスイッチであり、例えばスイッチＩＣ（Ｉｎｔｅｇｒａｔｅｄ  Ｃｉｒｃｕｉｔ）として構成される。なお、上記スイッチ回路およびスイッチは、半導体基板に形成された半導体スイッチに限らず、ＭＥＭＳ（Ｍｉｃｒｏ  Ｅｌｅｃｔｒｏ  Ｍｅｃｈａｎｉｃａｌ  Ｓｙｓｔｅｍｓ）で構成された機械式スイッチであってもかまわない。
【０３３５】
また、例えば、上記実施の形態に係るフィルタ装置、高周波フロントエンド回路および通信装置において、各構成要素の間に、さらに、インダクタおよびキャパシタなどの整合素子、ならびにスイッチ回路が接続されていてもかまわない。なお、インダクタには、各構成要素間を繋ぐ配線による配線インダクタが含まれてもよい。特に「ＡとＢとが接続されている」とは、ＡとＢとが直接接続されている場合のほか、ＡとＢとが、スイッチ、インダクタおよびキャパシタなどの回路（素子）などを介して、間接的に接続されている場合を含む。
【産業上の利用可能性】
【０３３６】
本発明は、ＣＡモードを実行するマルチバンドシステムに適用できるフィルタ装置、高周波フロントエンド回路および通信装置として、携帯電話などの通信機器に広く利用できる。
【符号の説明】
【０３３７】
１、１Ａ、１Ｂ、１Ｃ、１Ｄ、１Ｅ、２、２Ａ、３、３Ａ、５００Ａ    フィルタ装置
７    アンテナ素子
８    高周波フロントエンド回路
９Ａ    ＲＦ信号処理回路（ＲＦＩＣ）
９Ｂ    ベースバンド信号処理回路（ＢＢＩＣ）
１０、２０、５１０    ダイプレクサ
１０Ａ、２０Ａ    低域（高域）通過フィルタ
１０Ｂ、２０Ｂ    高域（低域）通過フィルタ
３０、３０Ａ、３１、３１Ａ、３６、３７、７１    スイッチ回路
３０ａ、３１ａ、３５ａ、３６ａ、３７ａ、６１ａ、６２ａ、７１ａ    共通端子
３０ｂ、３０ｃ、３１ｂ、３１ｃ、３５ｂ、３５ｃ、３６ｂ、３６ｃ、３６ｄ、３７ｂ、３７ｃ、３７ｄ、３７ｅ、６１ｂ、６１ｃ、６２ｂ、６２ｃ、７１ｂ、７１ｃ    選択端子
３２、３３、３４、３５、３９、５１、５２、５３、５４、５５、５６、６１、６２、７２、７３、８１、８２、８３、８４、８５、８６、８７、８８、８９、９０、ＳＷ１、ＳＷ２    スイッチ
３４ａ、３９ａ、５１ａ、５２ａ、５３ａ、５４ａ、５５ａ、５６ａ    一方の端子
３４ｂ、３９ｂ、５１ｂ、５２ｂ、５３ｂ、５４ｂ、５５ｂ、５６ｂ    他方の端子
４１、４２、４３、４４、４５、４６    フィルタ
４１Ｒ、４４Ｒ、４５Ｒ    受信フィルタ
４１Ｔ、４４Ｔ、４５Ｔ    送信フィルタ
４２ＴＲ、４３ＴＲ、４５ＴＲ、４８ＴＲ    送受信フィルタ
９１、９３    送信増幅器
９２、９４    受信増幅器
１００    通信装置
１１０、１２０、１２０ａ、１２０ｂ、１３０、１４０、１４０ａ、１４０ｂ、１５０、１５０ａ、１５０ｂ、１６０、１８０    入出力端子
１１１、１１２、１１３、１１４、１２１、１２２、１２３、１２４、１３１、１３２、１４１、１４２、１４３、１４４、１５１、１５２、１５３、１８１    送受信端子
５１０Ａ    低域通過フィルタ
５１０Ｂ    高域通過フィルタ
【図１】
2019153959.tif 000003
【図２Ａ】
2019153959.tif 000004
【図２Ｂ】
2019153959.tif 000005
【図２Ｃ】
2019153959.tif 000006
【図３Ａ】
2019153959.tif 000007
【図３Ｂ】
2019153959.tif 000008
【図４Ａ】
2019153959.tif 000009
【図４Ｂ】
2019153959.tif 000010
【図５】
2019153959.tif 000011
【図６】
2019153959.tif 000012
【図７】
2019153959.tif 000013
【図８】
2019153959.tif 000014
【図９】
2019153959.tif 000015
【図１０】
2019153959.tif 000016
【図１１】
2019153959.tif 000017
【図１２】
2019153959.tif 000018
【図１３】
2019153959.tif 000019
【図１４Ａ】
2019153959.tif 000020
【図１４Ｂ】
2019153959.tif 000021
【図１５】
2019153959.tif 000022
【図１６】
2019153959.tif 000023
【図１７】
2019153959.tif 000024
【図１８】
2019153959.tif 000025
【図１９】
2019153959.tif 000026